(57)【要約】      （修正有）【課題】ＷＣＤＭＡ通信システムにおける信号の同期化を敏速に獲得する。【解決手段】可変持続時間サンプル累積、復号器推定値の妥当性テスト、且つＰＥＲＣＨチャネルの中の多重同期化信号の並列復号を利用するものであって、受信器はスロット・タイミングを確実に決定するために必要なサンプルを累積し、スロット・タイミング推定値が妥当性テストをパスするまで、サンプルはフレームタイミング推定値のために累積され、フレームタイミング推定値が妥当性テストをパスするまで、サンプルはチャネルのパイロット・オフセットを決定するために解析される。【選択図】図４
2010220232.tif 000002
【特許請求の範囲】
【請求項１】
（ａ）格納された値を零にセットすることによって１次の同期化符号（ＰＳＣ）サンプル累積バッファと２次の同期化符号（ＳＳＣ）サンプル累積バッファをクリアし、
（ｂ）ＰＳＣ累積値のセットを形成するために受信されるサンプルの第１のセットを前記ＰＳＣサンプル累積バッファに累積し、
（ｃ）前記ＰＳＣサンプル累積バッファのコンテンツに基づいて第１のスロット・タイミング推定値を形成し、
（ｄ）前記第１のスロット・タイミング推定値に基づいてＳＳＣ累積値のセットを形成するために受信されるサンプルの第２のセットを前記ＳＳＣサンプル累積バッファに累積し、
（ｅ）前記受信されるサンプルの第２のセットを前記ＰＳＣサンプル累積バッファに累積し、
（ｆ）前記第１のスロット・タイミング推定値の妥当性を決定するためのテストを行い、
（ｇ）  ＳＳＣ符号語シンボルのセットを生成するために、テストによって妥当であると見出された前記第１のスロット・タイミング推定値及び前記サンプル累積バッファのコンテンツに基づいて第１のＳＳＣ復号を実行し、且つ
（ｈ）ＳＳＣ符号語を生成するために前記ＳＳＣ符号シンボルに基づいて第２のＳＳＣ復号を実行する、
諸ステップを含む信号を受信する方法。
【請求項２】
ステップ（ｂ）におけるサンプルの累積は前もって決められた持続時間にわたって実行される請求項１の方法。
【請求項３】
前記前もって決められた時間は１フレーム分である請求項２の方法。
【請求項４】
前記前もって決定される時間はフレームの長さの３倍より大きい請求項２の方法。
【請求項５】
第１のスロット・タイミング推定値を形成する前記ステップ（ｃ）が、
（ｃ．１）前記ＰＳＣサンプル累積バッファにある各サンプル・オフセットについてのＰＳＣ相関エネルギーを生成するために前記ＰＳＣサンプル累積バッファのコンテンツをＰＳＣシーケンスと相関させ、且つ
（ｃ．２）前記相関エネルギーの最大のものに相応するサンプル・オフセットを前記第１のスロット・タイミング推定値として識別する、
諸サブステップを更に含む請求項１の方法。
【請求項６】
前記ステップ（ｃ．１）における相関がデジタル整合フィルタを使用して実行する請求項５の方法。
【請求項７】
前記ステップ（ｆ）が、
（ｆ．１）相関エネルギー比を作り出すために２番目に大きい前記相関エネルギーによって最大の前記相関エネルギーを除算し、且つ
（ｆ．２）もし前記相関エネルギー比が前もって決められた相関エネルギー閾値より大きいならば前記第１のスロット・タイミング推定値は妥当であると結論を下す、
諸サブステップを含む請求項５の方法。
【請求項８】
２番目に大きい前記相関エネルギーは相関エネルギーのサンプル・オフセットが最大の前記相関エネルギーに関連するオフセットに直接隣接しない相関エネルギーのセットから選択される請求項７の方法。
【請求項９】
前記ステップ（ｃ）は最大の相関エネルギーを持つビンに隣接するビンに関連しない第２位最大の相関エネルギーを蓄えることを更に含み、且つ前記ステップ（ｆ）は前記第１のスロット・タイミング推定値に相応する相関エネルギーを前記第２位最大の相関エネルギーと比較し、もし前記第２位最大の相関エネルギーに対する最大の相関エネルギーの比が前もって決められた相関エネルギー閾値より大きいならば前記第１のスロット・タイミング推定値は妥当と結論することを含む請求項５の方法。
【請求項１０】
前記ステップ（ｃ）が、
（ｃ．１）前記ＰＳＣサンプル累積バッファにおける現在の各サンプル・オフセットについてのＰＳＣ相関エネルギーを作り出すために前記ＰＳＣサンプル累積バッファのコンテンツをＰＳＣシーケンスと相関させ、且つＰＳＣ相関エネルギーから得られるセットをＰＳＣ相関エネルギーバッファに格納し、
（ｃ．２）ＰＳＣ相関エネルギーバッファにある各サンプル・オフセットについてのＰＳＣ自動相関整合エネルギーを作り出すために前記ＰＳＣ相関エネルギーバッファのコンテンツをＰＳＣシーケンスの自動相関関数に基づいてＰＳＣ自動相関シーケンスと相関させ、且つ
（ｃ．３）前記ＰＳＣ自動相関整合エネルギーの最大のものに相応するサンプル・オフセットを前記第１のスロット・タイミング推定値として識別する、
諸サブステップを更に含む請求項１の方法。
【請求項１１】
前記ステップ（ｆ）が、
（ｆ．１）前記ＰＳＣサンプル累積バッファのコンテンツに基づいて第２のスロット・タイミング推定値を形成し、且つ
（ｆ．２）前記第１のスロット・タイミング推定値はもしそれが前記第２のスロット・タイミング推定値と等しいならば妥当であると結論を下す、
諸サブステップを含む請求項１の方法。
【請求項１２】
前記ステップ（ｇ）が、
（ｇ．１）前記第１のスロット・タイミング推定値がステップ（ｆ）において行われる前記テストに従い妥当であると判明するまでステップ（ｃ）から（ｆ）までを繰り返し、且つ
（ｇ．２）前記第１のスロット・タイミング推定値に基づいて前記ＳＳＣサンプル累積バッファのコンテンツをＳＳＣ符号シンボルに復号する、
諸サブステップを含む請求項１の方法。
【請求項１３】
前記第１のスロット・タイミング推定値が妥当であることを見出せない間に前もって決められたＰＳＣタイムアウト期間の満了することに応じて前記ステップ（ｇ．１）が中断され、前記方法の実行は、前記ステップａ）で再開する、請求項１２の方法。
【請求項１４】
前記ステップ（ｄ）は前記受信されるサンプルの第２のセットを前記ＳＳＣサンプル累積バッファに累積する前にその格納される値を零にセットすることによって前記ＳＳＣサンプル累積バッファを任意にクリアすることを含み、前記随意にクリアすることは前記第１のスロット・タイミング推定値が前のステップ（ｄ）の実行以来、前もって決められたサンプルスロットの数より多く変化してしまっているときにのみ行われる請求項１２の方法。
【請求項１５】
前記前もって決められたサンプルスロットの数は０である請求項１４の方法。
【請求項１６】
前記前もって決められたサンプルスロットの数は１である請求項１４の方法。
【請求項１７】
前記第１のＳＳＣ復号は相応する相関強度メトリクスのセットを作り出すために前記ＳＳＣ符号シンボルのセットの各々と前記ＳＳＣサンプル累積バッファのコンテンツの間の相関の度合を測定することを含む請求項１の方法。
【請求項１８】
前記第２のＳＳＣ復号は前記相関強度メトリクスに基づいて前記ＳＳＣ符号語を復号することおよび軟決定ブロック復号手法を利用することを含む請求項１７の方法。
【請求項１９】
前記軟決定ブロック復号手法はチェースアルゴリズムを利用する請求項１８の方法。
【請求項２０】
前記ステップ（ｈ）が、
（ｈ．１）前記ＳＳＣ符号シンボルのセットに基づいて最善推測ＳＳＣ復号符号語を生成させ、
（ｈ．２）前記ＳＳＣ符号シンボルのセットに基づいて前記最善推測ＳＳＣ復号符号語の妥当性テストを行い、且つ
（ｈ．３）  前記最善推測ＳＳＣ復号符号語が前記妥当性テストをパスするまで前記ステップ（ｄ）、（ｇ）、（ｈ．１）、および（ｈ．２）を繰り返す、  ことを更に含む請求項１の方法。
【請求項２１】
前記ステップ（ｈ）はサブステップ（ｈ．２）の間に受信されるサンプルに基づき、且つ前記最善推測ＳＳＣ復号符号語に基づくパイロットオフセットの評価を更に含む請求項２０の方法。
【請求項２２】
もし前もって決められたＳＳＣタイムアウト期間が前記ＳＳＣ符号シンボルのセットが前記妥当性テストをパスすることなく満了し、そこで実行がステップ（ａ）で再開するならば前記ステップ（ｈ．３）は中断する請求項２０の方法。
【請求項２３】
前記妥当性テストは前記ＳＳＣ符号シンボルのセットと妥当なＳＳＣ符号語の最も近い周期的移動の間のハミング距離を測定し、且つ前記ハミング距離を前もって決められた最大許容ハミング距離と比較することを含む請求項２０の方法。
【請求項２４】
（ａ）格納された値を０にセットすることによってフレーム・サンプル累積バッファをクリアし、
（ｂ）累積値のセットを生成させるために受信されるサンプルを前記フレーム・サンプル累積バッファに累積し、且つ
（ｃ）前記累積値のセットからスロット・タイミング、２次の同期化符号（ＳＳＣ）情報およびパイロット情報を引き出す、
諸ステップを含む信号を受信する方法。
【請求項２５】
ステップ（ｃ）は前記スロット・タイミングと前記ＳＳＣ情報の妥当性テストを行い、且つ前記スロット・タイミングと前記ＳＳＣ情報が前記妥当性テストをパスするまでステップ（ｂ）を繰り返すことを更に含む請求項２４の方法。
【請求項２６】
（ａ）デジタル基底帯域サンプルのストリームを作り出すために受信される信号をダウンコンバートし且つサンプル化するための受信器、
（ｂ）同時に前記サンプルをスロット・サンプル累積バッファに累積し且つ前記スロット・サンプル累積バッファのコンテンツに基づいてスロット・タイミング推定値を生成させるために、前記受信器に作動的に接続されるスロット・タイミング検出手段、
（ｃ）同時に前記サンプルを前記スロット・タイミング推定値に基づいてＳＳＣサンプル累積バッファに累積し且つ前記ＳＳＣサンプル累積バッファのコンテンツに基づいて最善予測ＳＳＣ情報を復号するために、前記受信器と前記スロット・タイミング検出手段に作動的に接続される２次の同期化符号（ＳＳＣ）検出手段、且つ
（ｄ）前記サンプルと前記最善予測ＳＳＣ情報に基づいてパイロット・オフセットを決定するために、前記受信器と前記ＳＳＣ検出手段に作動的に接続されるバイロットオフセット検出手段、
を含む信号を受信するための装置。
【請求項２７】
前記ＳＳＣ検出手段は前記ＳＳＣサンプル累積バッファのコンテンツに基づいてＳＳＣシンボルとＳＳＣシンボル相関強度メトリクスを生成させるためのＳＳＣシンボル相関器を含む請求項２６の装置。
【請求項２８】
前記ＳＳＣ検出手段は前記ＳＳＣシンボルと前記ＳＳＣシンボル相関強度メトリクスを受信し且つ前記ＳＳＣ情報を生成させるための軟決定復号を行うために、前記ＳＳＣシンボル相関器に作動的に接続されるＳＳＣ復号器を更に含む請求項２７の装置。
【発明の詳細な説明】
【技術分野】
【０００１】
本発明は無線通信に関する。特に、本発明は、非同期符号分割多元接続（ＣＤＭＡ）システムにおいて、受信される信号との同期化を達成し、これを識別する改良された方法に関する。
【背景技術】
【０００２】
国際電気通信連合（Ｉｎｔｅｒｎａｔｉｏｎａｌ  Ｔｅｌｅｃｏｍｍｕｎｉｃａｔｉｏｎｓ  Ｕｎｉｏｎ）は、最近、無線通信チャネルを介して高レートデータ及び高品質通話サービスを提供するための方法の提案の提出を要請した。その提案の１つは、“ＥＳＴＩ  ＵＭＴＳ地上無線接続（ＵＴＲＡ）ＩＴＵ−Ｒ  ＲＴＴ候補提出”と題して、欧州電気通信標準化協会（Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ）（ＥＳＴＩ）によって発行され、以後ＷＣＤＭＡとして参照される。これらの提出されたものの内容は、公文書記録であって、技術的には周知のものであり、ここで論議するように、ＷＣＤＭＡにおけるＰＥＲＣＨチャネルの使用について記述している。
【０００３】
図１は、移動局に基地局との同期化を獲得させるために使用されるＷＣＤＭＡ通信システムにおける各基地局によって、ＷＣＤＭＡ  ＰＥＲＣＨチャネル上で伝送されるフレームの一部を図示する。
【０００４】
フレームは、持続時間が１０ミリ秒で、４０，９６０個のチップからなる。フレームは、１６個のスロットに分割され、各スロットは、２５６０個のチップを持つ。各スロットは、そうすると、各部分が２５６個のチップからなる１０個の連続した部分に分割されているように考えることができる。この開示の目的のために、各スロットの１０個の部分は、１から１０までの番号が付与され、番号１のものが各スロットの中で最も早く伝送される２５６個のチップである。
【０００５】
フレームにおける各スロットの第１の２５６個のチップ（部分１）は、互いのトップに伝送される２つの直交シーケンス（ｏｒｔｈｏｇｏｎａｌ  ｓｅｑｕｅｎｃｅ）からなる。２つの直交シーケンスの第１は、１次の同期化符号（ＰＳＣ）シーケンスである。ＰＳＣシーケンスは、ＷＣＤＭＡシステムにおけるどのスロットについても、且つ、どの基地局についてもみな同じシーケンスである。部分１で伝送される２つの直交シーケンスの第２は、２次の同期化符号（ＳＳＣ）である。１７個の可能なＳＳＣシーケンスの１つは、各スロットで伝送される。
【０００６】
各スロットの部分２から５までは、伝送をする基地局のシステムアイデンティティーのような放送データ、およびその基地局と通信する全ての移動局に一般的に使用される他の情報を含む。各スロットの部分６から１０までは、前述のＵＴＲＡ標準によって定義されるような直交ゴールド（Ｏｒｔｈｏｇｏｎａｌ  Ｇｏｌｄ）符号に従って生成するパイロット信号を運ぶために使用される。
【０００７】
ＰＳＣとＳＳＣの信号は各フレームの同様な２５６−チップ部分の間に伝送されるので、各々は他の部分における信号の半分のパワーで伝送される。換言すれば、ＰＳＣ信号は、各スロットの部分２から１０までにおける信号より３デシベル少ないパワーで伝送される。ＳＳＣ信号もまた、部分２から１０までにおける信号に比較して−３デシベルで伝送される。これは、ＰＳＣとＳＳＣの検出をより困難にするが、各フレームを通じて伝送信号パワーを一定に保つ。
【０００８】
図２は、提案されたＷＣＤＭＡ第３世代通信システムにおける最初のシステム獲得のために使用されるＰＥＲＣＨチャネルを生成させるために使用される装置を図示する。１次の同期化符号（ＰＳＣ）生成器１は、ここで後述するシステム獲得の第１の段階のために使用される前もって決められた２５６個のチップシーケンスを生成させる。ＰＳＣは、通信システムにおける全ての基地局について同じであり、且つ、各フレームの各スロットの第１の２５６個のチップに穿孔（ｐｕｎｃｔｕｒｅ）される。
【０００９】
ＷＣＤＭＡシステムにおいては、各基地局は直交ゴールド符号を使用してその伝送を拡散する。直交ゴールド符号の生成は技術的には周知である。ＷＣＤＭＡにおいては、全てのゴールド符号は同じ生成器多項式を使用して生成する。所与の基地局については、ゴールド符号の合計５１２個の可能なタイミングオフセットがある。これらのオフセットは、フレームの開始に関係して測定され、且つ、どのような中央集中化されたタイミング信号にも関係しないで測定される。タイムオフセットゴールド符号は、各１０ミリ秒フレームの終了で先端を切り落とされ、次いで各フレームの開始でオフセット点から繰り返す。
【００１０】
ＷＣＤＭＡ基地局は、２つの機能の役をする２次の同期化符号（ＳＳＣ）を伝送する。最初に、２次の同期化符号は基地局のフレームタイミングを識別するために使用される。次に、２次の同期化符号は、直交ゴールド符号オフセットを可能な５１２個のオフセットの１６個のサブセットに狭小するグループ識別（ＧＩ）を備える。提案されたＷＣＤＭＡシステムにおいては、各々１６個のゴールド符号オフセットのセットに関連する３２個の異なるグループアイデンティティーがある。
【００１１】
グループ識別はＳＳＣ外部符号器２へ供給される。グループ識別は、各要素が１７個の可能な値の１つを取る３２個の可能な１６要素符号語（ｅｌｅｍｅｎｔ  ｃｏｄｅ  ｗｏｒｄ）の１つにマップされる。符号語は、どのような符号語のどのような周期的変位も合理的な符号語ではないベクトルに帰着するような、コンマのない（ｃｏｍｍａ  ｆｒｅｅ）符号として選択される。符号語の要素は、次に、符号語の各要素を２５６個のチップシーケンスにマップするＳＳＣ内部符号器３へ供給される。符号語の要素をマップすることができる可能な２５６個のチップＳＳＣシーケンスの各々は、符号語の要素を符号化するために使用されるどのような他のシーケンスにも直交する。可能な２５６個のチップＳＳＣシーケンスの各々もまた、ＰＳＣによって使用される２５６個のチップシーケンスに直交する。１６個の２５６チップＳＳＣシーケンスの各々は、各フレームにおけるスロットの部分１の第１の２５６個のチップに穿孔されるＰＳＣシーケンスへ加えられる。
【００１２】
ＰＳＣシーケンスとＳＳＣシーケンスは、加算器６において合計される。それらのシーケンスは互いに直交するので、受信器では互いに識別することができ、且つ、単一経路解析（ｓｉｎｇｌｅ  ｐａｔｈ  ａｎａｌｙｓｉｓ）において互いに干渉したりはしない。更に、放送共通データは、フレームの各スロットの部分２から５までに穿孔される。各フレームにおけるスロットの残余の１２８０個のチップ（部分６から１０までを占有する）は、基地局からの伝送を拡散するために使用される直交ゴールド符号シーケンスの残余の未穿孔チップからなる。各スロットの中の直交ゴールド符号シーケンスの第１の１２８０個のチップは、ＰＳＣ／ＳＳＣと共通放送情報によって穿孔される。
【００１３】
図３は、ＷＣＤＭＡ通信システムにおける同期化獲得の技術の現状を図示する。信号はアンテナ１０で受信されて、受信器（ＲＣＶＲ）１１へ供給される。受信器１１は受信される信号をダウンコンバートし、増幅してサンプル化し、且つ、１次の同期化符号（ＰＳＣ）検出器１２へサンプルを供給する。ＰＳＣは、各フレームの１６個のスロットの各々の部分１において、冗長的に伝送される。ＰＳＣは誤検出を起こしがちな非常に弱い符号化を使用して非常に低いパワーで伝送される。受入れ可能なレベルまでは誤検出の確率を減少するために、現在考えられているシステムは、３つの全フレームのサンプルをバッファに累積する。
【００１４】
次の記述は、サンプル化が１×で、且つ、本当のサンプルのみが取られるでことを想定しているだろう。実際は、ＷＣＤＭＡシステムは、ＱＰＳＫ変調を使用するので、サンプル化は複雑になるだろうし、且つ、超過サンプル化（ｏｖｅｒｓａｍｐｌｉｎｇ）は正確な検出の見込みを増大するために望ましい。
【００１５】
スロットバッファ１４は、２５６０個のサンプルを保持することが可能な巡回バッファである。スロットバッファ１４の要素は、スロット・タイミング獲得の開始で零に初期化される。第１の２５６０個のサンプルは、スロットバッファ１４へ直接に供給される。その後、残余の３つのフレーム期間に亘って受信されるサンプルは、下記の方程式（１）に従ってスロットバッファ１４に格納される累積サンプル値に対応して合計器１３で合計される。
[数１]
ＡＣＣＵＭ＿ＳＡＭＰ（ｉ）＝ＡＣＣＵＭ＿ＳＡＭＰ（ｉ）  
＋ＮＥＷ＿ＳＡＭＰ（ｉ＋２５６０ｎ）  
ここで、ｉは、０と２５５９の間のスロットチップ番号であり、ＡＣＣＵＭ＿ＳＡＭＰ（ｉ）は、スロットバッファ１４に格納される第ｉ番目の値であり、ＮＥＷ＿ＳＡＭＰ（ｉ）は、受信された第ｉ番目のサンプルであり、且つ、ｎは、０から４７（３つの全フレームのスロットの数に相応する）までのスロット番号である。
【００１６】
信号累積の第１の３０ミリ秒の間、合計器１３によって出力される値がスロットバッファ１４に格納返されるようにスイッチ３０がセットされる。信号格納期間の完了で、スイッチ３０は合計器１３からの出力値を相関器（ｃｏｒｒｅｌａｔｏｒ）１５へ供給するように動作する。相関器１５の機能は、スロットバッファ１４における２５６０個の可能な位置の中のＰＳＣシーケンスを検出することにある。技術に習熟した人は、スロットバッファ１４が包括的なアドレス指定を全ての可能な仮説にテストさせる巡回バッファであることを理解するだろう。相関器１５は、２５６個の累積される信号サンプルを２５６個のチップＰＳＣシーケンスと相関させ、且つ、結果として生じる２５６０個の計算される相関エネルギーを最大値検出器（ＭＡＸ  ＤＥＴＥＣＴ）１６へ供給する。最大値検出器１６は、格納された累積サンプルにおけるＰＳＣシーケンスとの最高の相関点を検出する。
【００１７】
スロットの中のＰＳＣを検出することによって、受信器はスロットレベルタイミング同期化を獲得し、それによって受信器はフレームの各スロットが何処で始まるかを知る。スロット・タイミング情報はマルチプレクサ３１へ供給される。実際は、スロット・タイミング情報は、スロット・タイミング情報を使用してマルチプレクサ３１の動作を制御する制御プロセッサ（図示せず）へ供給されるだろう。
【００１８】
ＳＳＣもまた低いエネルギーで伝送され、且つ、受信される信号において充分な信頼性を獲得するために、２つの冗長的に伝送されるＳＳＣシンボルの累積を要求するだろう。各スロットについて同じ値であるＰＳＣとは違って、ＳＳＣは、各スロットにおいて１７個の可能な値の１つを取ることができる。こうして、ＳＳＣデータを累積するために、異なるフレームのスロットからのサンプルを累積する必要がある。フレームの第８番目のスロットにおけるＳＳＣシーケンスは、そのフレームでの第９番目のスロットにおけるＳＳＣシーケンスと同じである必要はないだろう。しかしながら、所与のフレームの第８番目のスロットにおけるＳＳＣシーケンスは、次のフレームの第８番目のスロットにおけるＳＳＣシーケンスと同じであり、且つ、意味深長に累積されることができる。
【００１９】
マルチプレクサ３１は多重のフレーム期間に亘って収集されるサンプルを受信し、各フレーム期間は１６個の次のスロットと同時に起こる。マルチプレクサ３１は、各スロット（ＳＳＣシーケンスを含むスロットの部分１）の第１の２５６個のサンプルを、ＰＳＣ検出器１２と似た機能の１６個の可能なＳＳＣ内部符号検出器１８の１つへ供給する。ＳＳＣ復号のためのサンプルの累積の開始で、各ＳＳＣ内部符号検出器１８の中のＳＳＣバッファ２１は、全要素を零にセットすることによってクリアされる。その上、スイッチ２０は、合計器１９によって出力される値がＳＳＣバッファ２１に格納返されるように形成される。
【００２０】
第１のフレーム期間から、第１のスロット期間の部分１はＳＳＣ内部符号検出器１８Ａへ供給され、第２のスロット期間の部分１はＳＳＣ内部符号検出器１８Ｂへ供給され、そして第１６番目のスロット期間の部分１がＳＳＣ内部符号検出器１８Ｐへ供給されるまで続く。第２のフレーム期間の間、第１のスロット期間の部分１は再度ＳＳＣ内部符号検出器１８Ａへ供給され、第２のスロット期間の部分１はＳＳＣ内部符号検出器１８Ｂへ供給され、そして第１６番目のスロット期間の部分１がＳＳＣ内部符号検出器１８Ｐへ供給されるまで続く。この方法で、各フレームにおける１６個のスロットの各々に相応するＳＳＣシーケンスは、多重フレーム期間に亘って累積される。
【００２１】
ＳＳＣサンプルを累積後、スイッチ２０は、格納された累積サンプルをＳＳＣバッファ２１から相関器２２へ供給するためにトグルで留める。相関器２２は、累積されたサンプルと１７個の可能な合理的なシーケンス（Ｃ１  ，Ｃ２  ，…，Ｃ１７）の各々間の相関エネルギーを計算し、且つ、相関エネルギーを最大値検出器（ＭＡＸ  ＤＥＴＥＣＴ）２３へ供給する。最大値検出器２３は、最高の相関エネルギーを有する合理的なシーケンスを選択し、且つ、そのシーケンスをＳＳＣ外部復号器２４へ供給する。各ＳＳＣ内部符号検出器１８から１６個のシーケンス推定値を受信すると、ＳＳＣ外部復号器２４は、最も見込みのある伝送される１６個の要素符号語を決定する。
【００２２】
ＳＳＣ外部復号器２４は、シーケンス推定値を符号語要素（Ｃ１  ，Ｃ２  ，…，Ｃ１７）に変換し、その次に、結果としての符号語を全ての合理的な符号語及びこれらの合理的な符号語の全ての巡回変位バージョンと比較する。最も見込みのある伝送される符号語を選択すると、ＳＳＣ外部復号器はフレームタイミングを検出し、且つ、基地局のグループ識別（ＧＩ）を復号してしまう。
【００２３】
この点で、サンプルはパイロットチャネル獲得を許容するために格納され、最後の３ステップは基地局タイミングを獲得に向けられる。パイロットは、放送データ及び全てのスロットの第１の半分に穿孔されたＰＳＣ／ＳＳＣチャネルデータを持つ連続的な直交ゴールド符号である。フレームタイミングの開始は、基地局によって伝送を拡散するために使用される直交ゴールド符号の獲得を行うために必要とされるメモリの量を低減するために使用される。半フレームバッファ２７は、フレームにおける各スロットの第２の半分のみを格納し、これは他の情報によって穿孔されていない部分である。半フレームバッファ２７は２０，４８０個のサンプルを格納する。
【００２４】
復号されるグループ識別は、直交ゴールド符号生成器（ＯＧＣ  ＧＥＮ）２５へ供給される。グループ識別に応じて、直交ゴールド符号生成器２５は１６個の可能なマスク（ｍａｓｋ）のセットを選択する。単一の多項式は、シーケンス及び拡散動作を行うために使用されるそのシーケンスの１０ミリ秒の先端を切り落とされた部分を生成させるために使用される。拡散のために使用されるシーケンスの特定の部分は、技術的には周知で、且つ、“ＣＤＭＡセルラ電話システムにおける信号波形を生成させるためのシステム及び装置”と題する米国特許第５，１０３，４５９号に詳細に記述されているマスキング（ｍａｓｋｉｎｇ）動作によって選択され、それは本発明の譲受人に譲渡され、ここに参照として組入れられている。
【００２５】
生成器２５は、４０，９６０−チップ直交ゴールド符号シーケンスを生成させ、それは１０ミリ秒の伝送を拡散するために使用されるシーケンスであろう。生成器２５からのシーケンスは、ゲーティング要素（ｇａｔｉｎｇ  ｅｌｅｍｅｎｔ）２６へ供給される。ゲーティング要素２６は、ＰＳＣ／ＳＳＣによって穿孔されるパイロットチャネルの部分及びＰＥＲＣＨチャネルの伝送における放送共通チャネルデータに相当し、生成器２５によって出力されるシーケンスの各６２５マイクロ秒の期間の第１の半分をゲートから出す。
【００２６】
ゲーティング要素２６からゲートを出されるシーケンスは相関器２８へ供給される。相関器２８は、局部的に生成し且つゲートを出される直交ゴールド符号シーケンスと半フレームバッファ２７に格納されるサンプルの間の相関を計算する。各潜在的オフセット（ｐｏｔｅｎｔｉａｌ  ｏｆｆｓｅｔ）についての相関エネルギーは最大値検出器２９へ供給される。受信器は既にフレームレベルタイミングを獲得してしまっていて、且つ、直交ゴールド符号シーケンスはフレーム境界でリセットされているので、１６個のオフセット仮定（Ｏ１  ，Ｏ２  ，…，Ｏ１６）のみがテストされる必要がある。
【００２７】
１６個の可能なオフセット仮定のテスト後、最大値検出器２９は最も見込みのあるオフセットを出力する。フレームタイミング情報と拡散を行うために使用されるマスクを用いて、受信器はいまや、呼出しチャネルを受信し、且つ、伝送する基地局と双方向通信を開始することが可能である。
【００２８】
現在のＷＣＤＭＡ提案においては、ＰＳＣ、ＳＳＣ、及びパイロット・オフセット復号は、同期化が達成されるまで固定された数のフレーム期間に試行される。６つのフレーム期間が、ＰＳＣスロット・タイミングを推定するために使用されている第１の３つのフレーム、ＳＳＣ符号語を復号するために使用されている次の２つのフレーム、および、パイロットを復号するために使用されている最後のフレームを用いて一度に解析される。ＰＳＣ、ＳＳＣ、及びパイロットを満足に復号しないで、これらの６フレーム期間の１つが経過するたびに、他の６つのフレームを用いて処理が新たに開始する。ＰＳＣとＳＳＣのシーケンスがフレームの他の部分と比較してこのような低いパワーで伝送されるので、全ての３つの型の情報が１つのセットに首尾よく復号される前に、典型的に、多くのこのようなフレーム期間のセットが経過する。
【００２９】
同期化を獲得するこの方法に関する問題点は、こんな風にＷＣＤＭＡチャネルを首尾よく獲得するために、平均５００ミリ秒かかることである。これは、現在のＣＤＭＡ無線システムにおいて、ハンドオフを首尾よく完了するのに一般的に許容される２００ミリ秒より遥かに長く、且つ、不成功のハンドオフ動作のために呼が途絶える結果になるかも知れない。それ故に、ＷＣＤＭＡ通信システムにおいて、より敏速に同期化を獲得する方法のための技術におけるある必要性が感じられる。
【発明の概要】
【００３０】
本発明は、ＷＣＤＭＡ通信システムにおいて、現在提案されている方法より敏速に同期化を獲得するために使用される。本発明の種々の実施形態は、同期化のために要求される時間を最小化するために、より長いＰＳＣとＳＳＣのサンプル累積期間、並びに、ＰＳＣ、ＳＳＣ及びパイロット情報の並列復号を利用する。
【００３１】
前述の先行技術の方法は、サンプルの３つのフレーム期間に基づいてＰＳＣスロット・タイミングの推定値を作り出す。もし、そのスロット・タイミングの推定値が不正確であることが分れば、ＳＳＣとパイロット情報の次の復号は失敗し、且つ、ＳＳＣサンプルの収集が新たに開始するであろう。スロット・タイミングの前の３−フレーム推定値を形成するために使用されたサンプルは、次の３−フレームスロット・タイミング推定値を形成するときに廃棄される。
【００３２】
本発明の実施形態は、数個のフレームに基づいた多分に不正確な決定を強要する代りに、より長いＰＳＣサンプル累積期間を許容する。本発明の実施形態はまた、累積されるサンプルから形成されるＰＳＣスロット・タイミング推定値の妥当性を評価するためのテストを織り込む。更に、妥当なスロット・タイミング推定が達成されるまで、ＰＳＣサンプルを継続的に累積する方法が含まれる。ＰＳＣシーケンスのみはどのスロットについてもみな同一であるので、スロット−ワイドバッファにおけるサンプルの累積は、ＰＳＣシーケンスに他の累積される値の領域を上昇させる。スロット・タイミングでの“最善推測（ｂｅｓｔ  ｇｕｅｓｓ）”であるスロット・タイミング推定値が生成するが、それは妥当性テストをパスしていないので、予備のＳＳＣサンプル累積のための参照として使用される。もし、この“最善推測”スロット・タイミング推定値がテストにパスすることによって後で妥当になるならば、その時は、累積されるＳＳＣサンプルはＳＳＣ符号語の復号に使用される。この並列サンプル累積は、本発明の実施形態がより短いサンプル累積期間後でもより信頼できるＳＳＣ符号語の復号を完成できることを可能にする。
【００３３】
本発明の実施形態は、更に、ＳＳＣ符号とパイロット・オフセットの並列処理を織り込む。ＳＳＣ復号処理もまた妥当性テストを含むが、パイロット・オフセットを推定するために使用される中間の“最善推測”ＳＳＣ符号を生成させる。もし、ＳＳＣ符号の次のサンプル累積が“最善推測”ＳＳＣ符号の妥当性を支持するならば、その時は、相応するパイロット・オフセット推定値は直ちに使用されてもよい。この方法は、パイロット・オフセットがＳＳＣと同時に復号されるという理由で、並列式（ｐａｒａｌｌｅｌ）と呼ばれる。
【００３４】
本発明の種々の実施形態において、累積されるサンプル値の並列処理は、ＷＣＤＭＡチャネルでより敏速な同期化をもたらす。これらの実施形態を利用して、同期化は強い受信信号レベルについては、１０又は３０ミリ秒位の短さで達成されるかも知れない。しかしながら、たとえ受信される信号が弱くても、本発明によって許容される累積サンプルのより効果的な使用は先行技術の手法よりもより速い同期化をもたらす。
【００３５】
本発明の特徴、目的、及び利点は、全体を通じ類似の参照文字が対応している図面と共に取り上げられるときに、下記に述べられる詳細な説明からより明白になるだろう。
【図面の簡単な説明】
【００３６】
【図１】ＷＣＤＭＡ  ＰＥＲＣＨチャネルの構造の図である。
【図２】先行技術の同期化の方法に従うＷＣＤＭＡ  ＰＥＲＣＨチャネルを伝送するために使用される装置のブロック図である。
【図３】先行技術の方法に従うＷＣＤＭＡシステムにおいて同期化を獲得するために使用される装置のブロック図である。
【図４】本発明の実施形態に従うＷＣＤＭＡシステムにおいて同期化を獲得する方法の図である。
【図５】本発明の代案の実施形態に従うＷＣＤＭＡシステムにおいて同期化を獲得する方法の図である。
【図６】本発明の実施形態に従うＷＣＤＭＡ信号の同期化を獲得するために使用される装置の高レベルのブロック図である。
【図７】本発明の実施形態に従って形成される１次の同期化符号検出装置のブロック図である。
【図８】本発明の実施形態に従って形成される２次の同期化符号検出装置のブロック図である。
【図９】本発明の実施形態に従って形成されるパイロット・オフセット検出装置のブロック図である。
【発明の実施するための形態】
【００３７】
図４は、本発明の実施形態に従う提案されたＷＣＤＭＡ  ＰＥＲＣＨチャネル構造を使用する移動局と基地局の間のタイミングと同期化を獲得するために使用される方法のフローチャートを示す。その方法は、１つ又はより多くのスロットに亘ってダウンコンバート（ｄｏｗｎｃｏｎｖｅｒｔ）される入力信号をサンプル化するステップで開始する。図１の論議で記述されるように、各ＷＣＤＭＡフレームは、各スロットが２５６０個のチップ長の１６個のスロットを含む。ＰＳＣシーケンスは各スロットの第１の２５６個のチップで伝送される。
【００３８】
獲得システムを受信信号のスロット・タイミングと同期化するために、１次の同期化符号（ＰＳＣ）シーケンスは、第１の期間ｆ１  に亘って受信されるデータと相関させられる。このステップ１０２は、フレーム期間数１におけるスロットに亘って収集されるサンプルがスロット・タイミングの第１の推定値、ＰＳＣ１  に到着するようにＰＳＣシーケンスと相関させるために使用されることを示す、式ＰＳＣ（ｆ１  ）＝＞ＰＳＣ１  を用いて示される。
【００３９】
本発明の例示的実施形態において、ＰＳＣスロット・タイミング推定値は多重スロット期間に亘ってサンプルを収集することによって形成される。これは、１つのスロット期間の間にサンプル化されるデータを保持するのに十分な大きさのスロット・サンプル・バッファを使用し、且つ、その次に、次のスロット期間に亘って収集される次のサンプルを加えることによって成し遂げられる。例えば、もし、受信される信号が半チップ間隔でサンプル化されるならば、５１２０個のサンプル・ビンを持つスロット・サンプル・バッファは、ＰＳＣスロット・タイミング推定を行うために使用されるだろう。５１２０個のサンプル・ビンの各々に、推定されている第１のスロット期間の間に５１２０個のサンプルを格納後、第２のスロット期間に亘って収集される各サンプルは、相応するビンに加えられる。この方法で、ＢＩＮ１  は、サンプルの合計Ｓ１  ＋Ｓ５１２１＋Ｓ１０２４１  、を含み、以後そのように続くであろう。ＰＳＣシーケンスは一定で、且つ、各スロットにおける同じ場所に伝送されるので、この“軟結合する（ｓｏｆｔ  ｃｏｍｂｉｎｉｎｇ）”累積方法は、単一のスロット期間に亘って可能であるよりも、より良い推定値を生じる結果となる。
【００４０】
好ましい実施形態においては、受信されるサンプルとＰＳＣシーケンスの間の相関は、デジタル整合フィルタ（ｄｉｇｉｔａｌ  ｍａｔｃｈｅｄ  ｆｉｌｔｅｒ）を使用して測定される。例えば、１６個の連続したスロット期間の間に受信されるサンプルが、５１２０個の半チップ・サンプル・ビンに累積されるならば、ＰＳＣデジタル整合フィルタは、５１２０個の可能な５１２−ビンのグループ分けの各々を用いて、５１２−サンプルＰＳＣシーケンスの相関を測定するために使用される。５１２０−ビンスロット・サンプル・バッファは、スロット期間の中の全ての可能なオフセットで、包括的なアドレス指定にデジタル整合フィルタ相関エネルギーを生成させる巡回バッファとして実施される。例えば、５１００のオフセットで５１２−ビンの期間を作り出すために、整合フィルタは、ビン１から４９１までによって追従された、ビン番号５１００から５１２０までと相関させられるだろう。
【００４１】
本発明は、ここでデジタル整合フィルタを使用するように記述されているが、技術的に習熟した人は、アナログ整合フィルタ又は多重集積回路（ｍｕｌｔｉｐｌｙ−ａｎｄ−ｉｎｔｅｇｒａｔｅ  ｃｉｒｃｕｉｔ）のような他の相関の形式もまた、本発明から逸脱することなく使用されることができることを正しく認識するだろう。
【００４２】
本発明の好ましい実施形態においては、サンプル化ステップは技術的に周知のように、複雑なサンプル化を伴う。本当のサンプル化を含むがそれには限定されないサンプル化の他の形式もまた、本発明から逸脱することなく使用されることができるだろう。
【００４３】
本発明の好ましい実施形態においては、サンプルは半チップ間隔で収集される。受信される２５６−チップＰＳＣシーケンスは、それ故に、５１２個のサンプル間隔の中で表されるだろう。複雑なサンプルを使用する際に、受信されるサンプルストリーム（ｓａｍｐｌｅ  ｓｔｒｅａｍ）は、１０２４個のサンプル、５１２個の同位相（Ｉ）サンプル、および５１２個の直交位相（Ｑ）サンプルに亘る相関について評価されるだろう。
【００４４】
本発明の好ましい実施形態においては、その間データが累積され、且つ、ＰＳＣ同期化のために使用される第１の期間ｆ１  は、全フレームの期間（１６スロット）である。しかしながら、第１の期間ｆ１  は、本発明から逸脱することなく、１６より少ない個数のスロット又は１６の任意の倍数個のスロットを含む、どのような個数のスロット期間でもあることができる。
【００４５】
ステップ１０４は、ステップ１０２の次にくる第２の期間ｆ２  の間に受信されるサンプルで行われる処理を示す。ステップ１０４において、推定値ＰＳＣ１  からのスロット・タイミングは、式“ＳＳＣ（ｆ２  ，ＰＳＣ１  ）＝＞ＳＳＣ１  ”によって示されるように、２次の同期化符号（ＳＳＣ）情報を復号するために使用される。ＳＳＣ符号語の復号は、各スロットに存在するＳＳＣシンボルの復号と、その次に、生成するＳＳＣシンボルからのＳＳＣ符号語の復号からなる２段階処理（ｔｗｏ−ｓｔａｇｅ  ｐｒｏｃｅｓｓ）である。
【００４６】
ＳＳＣシンボルの復号の第１の段階は、利用可能なスロット・タイミング推定値が正しいという想定に基づいて行われる。ＷＣＤＭＡシステムについての本発明の例示的実施形態においては、スロット・タイミング推定値ＰＳＣ１  は、全てのフレームにおける１６個のスロットの各々の第１の２５６個のチップの位置を確立するために使用される。期間ｆ２  に亘って、１６個の２５６−チップ期間の各々についてのサンプルは、ＳＳＣサンプル累積バッファに累積される。本発明の例示的実施形態においては、期間ｆ２  は長さでフレーム期間の整数倍である。ＷＣＤＭＡの場合においては、１６個の２５６−チップバッファは、１６個の区分（ｓｅｃｔｉｏｎ）に分割される単一の４０９５−チップバッファとして実施されてもよい。各バッファ又はバッファ区分において累積されるサンプル値は、そこで、可能な伝送されるＳＳＣ符号シンボルに対して整合される。ＷＣＤＭＡの場合においては、１７個の異なる可能な２５６−チップＳＳＣ符号シンボルがある。各スロットにおけるＳＳＣシンボルについて、相応するＳＳＣサンプル累積バッファにおける値と最高の度合の相関性を持つＳＳＣシンボルシーケンスは、最も見込みのあるＳＳＣ符号シンボルとして選択される。
【００４７】
ＳＳＣ復号の第２の段階は、推定されるＳＳＣ符号シンボルからのＳＳＣ符号語を識別している。ＷＣＤＭＡにおいては、ＳＳＣ符号語はリード−ソロモン（Ｒｅｅｄ−Ｓｏｌｏｍｏｎ）ブロック符号のコンマのないサブセット（ｓｕｂｓｅｔ）から選択される。１６個の選択されるＳＳＣ符号シンボルは、リード−ソロモン符号語に分解され、その符号語は次に、許されたコンマのないサブセットの１つと等しくするために必要なようにシフトされる。必要な数のシフトは、（スロットが第１に来る）フレームタイミングを識別するために使用され、且つ、識別されるＳＳＣ符号語はグループ識別（ＧＩ）を識別する。
【００４８】
本発明の好ましい実施形態においては、第２の期間ｆ２  の間に受信されるＰＳＣサンプル値は、第１の期間ｆ１  の間に受信される格納サンプルを既に含むスロット・サンプル・バッファに累積される。これは、ステップ１０４の間に、式“ＰＳＣ（ｆ２  ，ｆ１  ）＝＞ＰＳＣ２  ”によって示されるように、ＰＳＣ２  は期間ｆ１  とｆ２  の両方に亘って収集されるサンプルから導き出されることを意味する。代りの実施形態においては、ＰＳＣ２  が期間ｆ２  からのサンプルを使用して形成されるように、スロット・サンプル・バッファは期間ｆ２  の開始の時点でクリアされる。
【００４９】
ステップ１０４の完了後、ＰＳＣ１  はステップ１０６において新しい推定値ＰＳＣ２  と比較される。もし、ＰＳＣ１  がＰＳＣ２  と等しいならば、その時、ＰＳＣ１  はスロット・タイミングへの使用に妥当であると考えられる。もし、ＰＳＣ１  がステップ１０６においてまだ妥当であるとは考えられないならば、その時は、ＰＳＣ１  においてスロット・タイミングに基づいて生成したＳＳＣ１  は疑わしく、且つ、まだフレームタイミング推定のためには使用されない。
【００５０】
もし、ＰＳＣ１  が疑わしい（ＰＳＣ２  と等しくない）ことが決定されるならば、ステップ１０８が行われ、そこでは第３の期間ｆ３  からのデータが受信されるデータを推定するために使用される。このステップにおいて、式“ＳＳＣ（ｆ３  ，ＰＳＣ２  ）＝＞ＳＳＣ２  ”によって示されるように、第３の期間ｆ３  の間に受信されるデータは、ＳＳＣ符号語の第２の推定値、ＳＳＣ２  を形成するために使用される。更に、ステップ１０８の間に、ＰＳＣ３  を生成させるために、第３の期間ｆ３  において受信されるデータに基づいて、スロット・タイミングの追加の推定がなされる。ステップ１０４におけるように、前の推定値ＰＳＣ２  を生成させるために使用される累積サンプルは、ＰＳＣ３  の生成に利用される。再度、代りの実施形態は、期間ｆ３  のみの間に受信されるサンプルに基づいてＰＳＣ３  を作り出す。
【００５１】
技術的に習熟した人は、妥当性テストによって要求される連続する不変のＰＳＣ推定値の数が、創意に富む能力を使用しなくても、記述された２つ以上あるかも知れないことを正しく認識するだろう。例えば、ＳＳＣスロット・タイミング推定値が妥当であると考えられる前に、列内の３個又は４個の同一のＳＳＣスロット・タイミング推定値が要求されるかも知れない。
【００５２】
更に、パイロット・チャネル・データは、パイロット・オフセット推定値ＰＩＬＯＴ１  を形成するために、フレームタイミングとＳＳＣ１  から供給されるグループ識別に基づいて期間ｆ３  の間に受信されるデータから復号される。パイロットチャネルオフセットの決定の際には、受信されるサンプルはＳＳＣ１  と関連するグループ識別（ＧＩ）によって特定される１６個のパイロット・オフセットに対して相関させられるのみである。
【００５３】
ステップ１１０では、ＰＳＣ１  は新しい推定値ＰＳＣ３  と比較される。もし、ＰＳＣ１  がＰＳＣ３  と等しいならば、その時は、ＰＳＣ１  はスロット・タイミングにおける使用に妥当であると考えられる。もし、ＰＳＣ１  が妥当であると考えられるならば、その時は、そのスロット・タイミングがＰＳＣ１  に基づいたＳＳＣ１  は評価され、且つ、ステップ１１２において妥当性についてテストされる。例示的実施形態においては、ステップ１１２におけるＳＳＣ妥当性確認は、ＳＳＣ１  の形成の間に検出されるＳＳＣシンボル誤り（ＳＳＣ  ｓｙｍｂｏｌ  ｅｒｒｏｒ）の数に基づく。これらのシンボル誤りは、ＳＳＣ復号の第１の段階の間に復号され、第２の段階において復号される最近のＳＳＣ符号語のシンボルと一致しないシンボルの数を計数することによって測定される。もし、このシンボル不一致の数（ハミング（Ｈａｍｍｉｎｇ）距離とも呼ばれる）が、前もって決められた値よりも大きいならば、ＳＳＣ１  は無効と考えられる。本発明の他の実施形態においては、ステップ１１２は、ＳＳＣ復号の信頼性水準が妥当性について要求される水準まで上昇するかどうかを決定するためにハミング距離と復号ＳＳＣシンボルの相関エネルギーの組合せを使用する。もし、ＳＳＣ１  がステップ１１２において妥当と考えられるならば、その時は、ＰＩＬＯＴ１  はステップ１１４においてパイロット・オフセットの推定値として使用される。
【００５４】
本発明の代りの実施形態においては、ＳＳＣ推定と共に受信される許し得るシンボル誤りの数には最大値は置かれない。受信されるＳＳＣ符号語の最良の推定値が直ちに使用され、且つ、ステップ１１２とステップ１２８は省略される。
【００５５】
本発明の好ましい実施形態においては、各復号されたＳＳＣシンボルのために相関強度メトリクスが生成する。この相関強度メトリクスは推定される伝送されたシンボル値と受信される信号の間の相関の度合の尺度であり、且つ、前述の２段階ＳＳＣ復号方法の第１の段階の間に生成される。推定される受信されたシンボルにそった相関強度メトリクスは、受信されるＳＳＣ符号語を決定するためにチェースアルゴリズム（Ｃｈａｓｅ  ａｌｇｏｒｉｔｈｍ）の入力として使用される。チェースアルゴリズムは、ブロック符号の“軟決定（ｓｏｆｔ  ｄｅｃｉｓｉｏｎ）”復号を行う改良された方法であって、且つ、“ＩＥＥＥ情報理論上のトランザクション、ＩＴ−１８巻、第１号、１９７２年１月”におけるＤａｖｉｄ  Ｃｈａｓｅ氏による文献に記述されていた。チェースアルゴリズムの使用は、付加の白色ガウス（ａｄｄｉｔｉｖｅ  ｗｈｉｔｅ  Ｇａｕｓｓｉａｎ）（ＡＷＧＮ）チャネルについては２デシベル、且つ、フェージング・チャネルについては６乃至８デシベルと同程度のＳＳＣ復号精度に改良を与える。
【００５６】
もし、ＰＳＣ１  がステップ１１０で無効と考えられるならば、その時は、ＰＳＣ２  はステップ１１６において新しい推定値ＰＳＣ３  と比較される。もし、ＰＳＣ２  がＰＳＣ３  と等しくないならば、その時は、ＰＳＣ２  は無効か又はスロット・タイミングについて疑わしいと考えられる。本発明の好ましい実施形態においては、もし、期間ｆ１  、ｆ２  、およびｆ３  に亘って収集されるサンプルが、ステップ１１６でＰＳＣスロット・サンプル・バッファに累積されてしまっているが、良いスロット・タイミング推定値がまだ得られていないならば、処理はステップ１１８でリセットし、且つ、最初からやり直してステップ１０２へ戻る。
【００５７】
もし、ステップ１１６で、ＰＳＣ２  がＰＳＣ３  と等しいならば、その時は、ＰＳＣ２  はスロット・タイミングについて妥当と考えられる。もし、ＰＳＣ２  が妥当と考えられるならば、その時は、ＰＳＣ２  のそのスロット・タイミングに基づいたＳＳＣ２  はステップ１２２において評価される。本発明の好ましい実施形態においては、ステップ１２２はステップ１１２と同じＳＳＣ評価方法を使用する。もし、ＳＳＣ２  がステップ１２２において妥当と考えられるならば、その時は、ＳＳＣ２  は、ステップ１２４において第４の期間ｆ４  の間に受信されるデータからのパイロット・チャネル・データを復号するために使用される。ステップ１２４において復号されるＰＩＬＯＴ２  データは、ステップ１２６において使用するために利用可能にされる。
【００５８】
もし、ステップ１０６でのＰＳＣ１  の妥当性の評価後、ＰＳＣ１  が妥当であると決定されるならば、その時は、ＳＳＣ１  はステップ１２８において妥当性について評価される。本発明の好ましい実施形態においては、ステップ１２８はステップ１１２と同様なＳＳＣ評価方法を使用する。
【００５９】
もし、ＳＳＣ１  がステップ１２８の間に無効と考えられるならば、その時は、第３の期間ｆ３  の間に受信されるデータは、ステップ１２０において他のＳＳＣ推定値、ＳＳＣ２  を生成させるために使用される。ステップ１２０は、図においては、ＳＳＣ２  を生成させるためにＰＳＣ２  を使用するように示されているが、ＰＳＣ１  は、ステップ１２０において同様な結果を得るために使用されることができる。ステップ１２０後は、結果として生じるＳＳＣ２  は既に前述されているステップ１２２において評価される。
【００６０】
もし、ステップ１２８において、ＳＳＣ１  がフレームタイミングにおける使用に妥当と考えられるならば、その時は、ＳＳＣ１  は第３の期間ｆ３  の間に受信されるデータを用いて、ステップ１３０においてパイロット情報を復号するために使用される。ステップ１３０の結果は、ステップ１３２において後にシステムによる使用のために利用可能にされるＰＩＬＯＴ１  である。期間ｆ３  は長さで１つ又はそれより多いフレームである。
【００６１】
ステップ１０８と１２０においては、本発明の代りの実施形態は、ＳＳＣ２  を生成させる際に、期間ｆ２  とｆ３  の間に収集されるシンボル推定値を加える。換言すれば、ＳＳＣ１  は推定値ＳＳＣ２  を強化するために使用される。
【００６２】
本発明の他の代りの実施形態においては、ステップ１０６、１１０、および１１６におけるＰＳＣスロット・タイミング推定値の妥当性の評価は、ＰＳＣ推定値を生成させるために使用される整合フィルタ作用からの結果による相関の度合を評価することによって行われる。例えば、半チップサンプルが使用されるときは、各スロット期間は、５１２０個のサンプル・ビンに累積されている５１２０個のサンプルを含む。ＰＳＣシーケンスは、５１２０個の可能なオフセットの各々で、５１２０個の相関エネルギーのセットを生じるために相関させられる。最高の相関エネルギーはＰＳＣ最良推定エネルギーであり、且つ、その相関エネルギーに相応するスロット・タイミングオフセットはＰＳＣ最良推定オフセットである。ＳＳＣ復号について妥当な基準を考えるために、ＰＳＣ最善推定エネルギーは、残余の５１１９個の相関エネルギーの次位最高のものと比較される。付加のスロットのサンプルが累積バッファに累積されるので、ＰＳＣ最良推定エネルギーは全ての他の相関エネルギーを超えて更に、更に上昇する。本発明の一実施形態においては、もし、ＰＳＣ最良推定エネルギーが前もって決められた閾値増倍器によって次位最高の相関エネルギーを、例えば６デシベル超過するのみならば、ＰＳＣ最良オフセットは信頼できると考えられる。
【００６３】
受信されるＰＳＣ符号のタイミングは、結果として２つ又は３つの隣接するオフセットに高い相関エネルギーをもたらすようなことになるかも知れない。この可能性を認識して、本発明の代りの実施形態は、ＰＳＣ最良推定エネルギーのみを、ＰＳＣ最良推定オフセットに直接には隣接していないオフセットと比較する。この方法の例示的実施においては、４つの最高相関エネルギーとそれらのオフセットは、全てのオフセットがＰＳＣシーケンスと相関させられるように蓄えられ、且つ、ＰＳＣ最良推定エネルギーは、隣接するオフセットには属しない次位最高の相関エネルギーと比較される。
【００６４】
本発明の他の代りの実施形態は、２３０４個の零のチップによって追従されるＰＳＣシーケンスの自動相関機能が識別可能なエンベロープ（ｉｄｅｎｔｉｆｉａｂｌｅ  ｅｎｖｅｌｏｐｅ）をもつところでは有用である。この実施形態においては、全てのフセットの相関エネルギーは相関エネルギーバッファに格納される。半チップサンプル化を使用する例示的実施においては、相関エネルギーバッファは５１２０個の相関エネルギーを保持するだろう。相関エネルギーのセットは、そこで、２３０４個の零のチップによって追従されるＰＳＣシーケンスの自動相関機能と整合される。この自動相関機能に最も接近した輪郭を持つオフセットが、ＰＳＣ最良推定オフセットである。
【００６５】
図５は、本発明の実施形態に従う、提案されたＷＣＤＭＡ  ＰＥＲＣＨチャネル構造を使用して移動局と基地局の間のタイミングと同期化を獲得する他の方法のフローチャートを示す。その方法はＰＳＣとＳＳＣサンプルを累積するために使用されるサンプル累積バッファをクリアするステップ１５０で開始し、各バッファの各ビンを零にセットする。後で受信されるサンプルは既にビンにある値に加えられる。ＰＳＣサンプル累積バッファは、２５６０個のチップの全スロット期間を累積するために十分なサンプルを格納する。ＳＳＣサンプル累積バッファは１６個の連続したスロットの第１の２５６個のチップを累積するために十分なサンプルを格納する。ＳＳＣサンプル累積バッファは、それ故、４０９６個のチップ分のサンプルを格納するために十分なビンを持つ。
【００６６】
ＰＳＣとＳＳＣバッファがステップ１５０においてクリアされた後、サンプルの第１のセットが受信され、且つ、ステップ１５２においてＰＳＣサンプル累積バッファに累積される。本発明の好ましい実施形態においては、全フレーム（１６スロット）のサンプルがＰＳＣバッファに累積される。ステップ１５２におけるサンプル累積は、前述したようにステップ１０２において行われる。ＰＳＣシーケンスは、その次に、ステップ１５４においてスロット・タイミング推定値ＰＳＣ１を生成させるために、ＰＳＣバッファのコンテンツに対して相関させられる。ＰＳＣバッファにおける値へのＰＳＣシーケンスの相関は、前述のどのような方法においてでもなされる。
【００６７】
ステップ１５６において、スロット・タイミング推定値ＰＳＣ１は、ＳＳＣサンプル累積バッファにサンプルを累積するために使用される。前述したように、各サンプルは、そのスロットの中のそのタイムオフセットに従い、ＰＳＣバッファビンに累積される。しかしながら、全てのサンプルがＳＳＣバッファに累積されるのではない。推定値ＰＳＣ１からのスロット・タイミングに基づいて、各スロットの第１の２５６個のチップの間に収集されるサンプルのみがＳＳＣバッファに蓄えられる。伝送されるＳＳＣシンボルはスロットからスロットへ異なるので、ＳＳＣバッファのサンプル・ビンは、１６個の２５６−チップ領域に切断され、そこには収集されたサンプルが累積される。もし、ＰＳＣ１によって供給されるスロット・タイミングが正確であるならば、各２５６−チップ領域は１つのスロットのＳＳＣシンボル期間のために累積されるサンプルを含むだろう。ＳＳＣバッファコンテンツの値は、ＰＳＣ１の正確度に依存しているという理由で、且つ、計算の資源を保存するために、ＳＳＣバッファコンテンツのＳＳＣ復号は、ＰＳＣ１が妥当であると示されるまで、遅延されるか延期されるかも知れない。
【００６８】
ステップ１５６においてＳＳＣサンプルが累積されると同時に、サンプルはまたＰＳＣサンプル累積バッファに累積される。ステップ１６０において、ＰＳＣバッファのコンテンツは再度ＰＳＣシーケンスへの相関のために解析され、結果としてスロット・タイミング推定値ＰＳＣ２を生じる。この方法で、ステップ１５２と１５６において、ＰＳＣ２が累積される全てのサンプルから生成する。ステップ１６４では、スロット推定値ＰＳＣ１がスロット推定値ＰＳＣ２と比較される。もし、その２つの推定値が等しくないならば、その時は、ＰＳＣ１は不正確であると想定される。ＰＳＣ１を使用して生成するＳＳＣ推定値は、ステップ１６２において、ＳＳＣサンプル累積バッファのコンテンツを零にセットすることによって廃棄される。ステップ１５８において、スロット・タイミング推定値ＰＳＣ１はＰＳＣ２等しくなるように更新され、且つ、ステップ１５６から処理が継続する。次のＳＳＣ推定値は新しいスロット・タイミング推定値からのスロット・タイミングに従い生成するだろう。
【００６９】
僅かな発振器のドリフトがＳＳＣ累積を完全に無効にすることなしにＰＳＣ推定値を僅かに変化させるかも知れないことを認識して、本発明の代りの実施形態は、もし、ＰＳＣ推定値がステップ１６４でチップによるか、又はより少なく変化するならば、ＳＳＣの累積を継続する。本発明の好ましい実施形態においては、サンプル化は半チップ間隔で行われる。このような実施においては、ＰＳＣサンプル累積バッファは５１２０個のサンプル・ビンを持ち、且つ、ＳＳＣ累積バッファは８１９２個のサンプル貯蔵所を持つ。ステップ１６４において、もし、ＰＳＣ１が半チップ（１つのサンプル・ビン）のみだけＰＳＣ２と異なっているならば、その時は、ステップ１６２は飛び越され、且つ、ステップ１５８がステップ１６４の後に直ちに実行される。換言すれば、ＳＳＣバッファはクリアされないが、スロット・タイミング指標は、ＳＳＣサンプル累積に使用されるために更新される。
【００７０】
その上、ステップ１６４で、ＰＳＣサンプル累積バッファに累積されてしまっているフレームの数が評価される。もし、前もって決められたフレームの数、例えば１０個が、ＰＳＣスロット・タイミング推定値において見かけ上安定しないで経過してしまうならば、ＰＳＣサンプル累積バッファはクリアされ（零で満たされる）、且つ、ステップ１５２で、処理は随意に継続するか、又は打ち切る。
【００７１】
ＰＳＣ１とＰＳＣ２の妥当性は、ステップ１０６、１１０、および１１６と共に、前述の方法の１つを使用して更に評価される。本発明の一実施形態においては、ステップ１６０はＰＳＣ２と同様に、第２位最高の相関エネルギーを蓄えることを含む。ステップ１１６で、ＰＳＣ２は、他のオフセットの相関エネルギーと比較することによって妥当性について評価される。ＰＳＣスロット・タイミング推定値は、もし、その相関エネルギーが、全ての他のオフセットの相関を前もって決められた量、例えば６デシベルだけ超過するのみならば、妥当と考えられる。
【００７２】
本発明の他の実施形態においては、ステップ１６０はそれらのオフセットと同様に４個の最高の相関エネルギーを貯えることを含む。ステップ１６６では、ＰＳＣスロット・タイミング推定値は、もし、その相関エネルギーが、全ての他の非隣接オフセットの相関を前もって決められた量、例えば６デシベルだけ超過するのみならば、妥当と考えられる。
【００７３】
本発明の他の代りの実施形態においては、全てのオフセットについての相関エネルギーは、ステップ１６０で相関エネルギーバッファに格納される。ステップ１６６で、ＰＳＣスロット・タイミング推定値は、もし、そのオフセットで評価された相関エネルギーバッファに格納される値が、２３０４個の零のチップによって追従されるＰＳＣシーケンスの自動相関機能に最も接近して整合するのみならば、妥当と考えられる。
【００７４】
ＰＳＣスロット・タイミング推定値を使用して格納されるＳＳＣサンプルは、もし、ＰＳＣスロット・タイミング推定値が妥当と考えられないならば復号されない。もし、ステップ１６６で、ＰＳＣ２が無効と考えられるならば、その時は、処理はステップ１５６から継続し、そのためＰＳＣ推定値は更なるサンプル累積によって強化されることができる。もし、ステップ１６６で、ＰＳＣ２が妥当と考えられるならば、その時は、ＳＳＣとパイロット情報の復号がステップ１６８において継続する。
【００７５】
本発明の一実施形態においては、ＳＳＣ符号語は前述したチェースアルゴリズムを使用して、ステップ１６８において復号される。ＳＳＣ符号語が復号される第１の時は、それにはそれを妥当と呼ぶに十分な度合の信頼性はないかも知れない。ＳＳＣ符号語が復号され、且つ妥当性確認されるまで、次のサンプルはＳＳＣサンプル・バッファに累積される。ＳＳＣ符号語が後で妥当であると判った場合、パイロット・オフセットは、付加のＳＳＣサンプルが累積されているのと同時に、ＳＳＣ情報の最善推測に基づいて推定される。
【００７６】
妥当なＳＳＣ符号語がステップ１６８において復号されてしまった後、ステップ１６８において生成するパイロット・オフセットはステップ１７０において評価される。もし、パイロット・オフセットが結局は妥当であると判ったＳＳＣ符号語に基づいて生成するとすれば、その時は、ステップ１６８において測定されるパイロット・オフセットはステップ１７４において使用される。もし、復号されるＳＳＣ符号語がステップ１７０で利用可能なパイロット・オフセットを生成させるために使用されなかったとすれば、その時は、パイロット・オフセットは妥当なＳＳＣ符号語に基づいてステップ１７２において復号される。パイロット・オフセットはステップ１７２において復号された後は、ステップ１７４における使用の準備ができる。
【００７７】
本発明の他の実施形態においては、フレーム・サンプル累積バッファ（全フレームに亘って累積されるサンプルを保持するのに十分に大きい）は、ＰＳＣ、ＳＳＣとパイロット情報の復号のために使用される。サンプルは、ＰＳＣ、ＳＳＣ、およびパイロットが高い信頼性で復号されてもよいように、十分なフレーム期間に亘って累積される。一旦、スロット・タイミングが確立すると、バッファは１６個のスロットに編成されてもよい。各バッファスロットの第１の２５６個のチップに格納されるサンプルは、直ちにＳＳＣ符号語に復号するために解析される。一旦、ＳＳＣ符号語が復号されてしまうと、パイロット・オフセットは、各バッファスロットの最後の１２８０個のチップから復号される。付加のフレーム期間からのサンプルは、妥当なＰＳＣ、ＳＳＣ、およびパイロット情報を生成させるために必要なようにバッファに格納されてもよい。ＰＳＣ相関と自動相関、ＳＳＣシンボル相関エネルギー測定、およびＳＳＣの復号のためのチェースアルゴリズムを含む、前述したＰＳＣとＳＳＣの復号手法は、このフレーム累積方法に等しく適用可能である。この方法は、むしろかなり大きなサンプル累積バッファ（もし、半チップサンプルが使用されるならば、８１，９２０個のビン）を要求するが、少ない数フレーム（理論的には、１０ミリ秒位の少ない）におけるＰＳＣ、ＳＳＣとパイロット情報の復号を許容する。
【００７８】
代りの実施形態においては、パイロット符号を含むフレーム期間に各スロットの部分のためのサンプルを累積するに十分な大きさのパイロットサンプル累積バッファは、パイロット情報を復号するために使用される。ＷＣＤＭＡの場合においては、パイロットサンプル累積バッファは１２８０個のチップの１６個の区域に分割される。このバッファにおけるサンプル累積は、ＰＳＣスロット・タイミング推定値が生成するとすぐに開始してもよい。もし、パイロットサンプル累積のために使用されるＰＳＣスロット・タイミング推定値が変化するならば、パイロットサンプル累積バッファはクリアされ、且つ、パイロットサンプル累積は新しいＰＳＣスロット・タイミング推定に基づいて再開する。または、代りの実施形態においては、もし、ＰＳＣ推定が１つ以上のサンプル・オフセットだけ変化するならば、パイロットサンプル累積バッファはクリアされるのみである。一旦、ＳＳＣ符号語が首尾よく復号され、それ故、フレームタイミングおよびグループ識別を識別すると、パイロットサンプル累積バッファにおける区分は、ＳＳＣのグループ識別によって示されるゴールド符号オフセットと直ちに相関させられる。更なるサンプル期間が、ＳＳＣ符号語を復号するために要求されるもの以上に必要とされるようなことはない。
【００７９】
図６は、本発明の実施形態に従い構成された受信器の高レベルのブロック図を示す。描かれた装置は初期のＰＳＣとＳＳＣの推定値の潜在的正確さに基づいて受信されるサンプルの並列処理を許容する。１次の同期化符号（ＰＳＣ）、２次の同期化符号（ＳＳＣ）、およびパイロット情報を運ぶ信号はアンテナ２０２で受信され、受信器  （ＲＣＶＲ）２０４においてダウンコンバートされ、複合ＰＮ逆拡散され、且つ、複合サンプル化される。結果としての複合サンプルのストリームは、ＰＳＣ検出器２０６、ＳＳＣ検出器２０８、およびパイロット検出器２１０へ送出される。ＰＳＣ検出器２０６、ＳＳＣ検出器２０８、およびパイロット検出器２１０はまた制御プロセッセ２１２へ作動的に結合される。
【００８０】
制御プロセッセ２１２はＰＳＣ検出器２０６、ＳＳＣ検出器２０８、およびパイロット検出器２１０へ制御信号を送出し、パイロット信号の捜索を開始するか、又は進行中の捜索を中止するかを、それらに命令する。
【００８１】
ＰＳＣ検出器２０６は、スロット・タイミングの推定値を生成させる数個のスロット期間に亘って、受信器２０２から受信されたサンプルを評価する。ＰＳＣ検出器２０６によって行われる動作はステップ１０２、１０４、および１０８と共に前述したように、ＰＳＣスロット・タイミング推定値を生成させるために使用される動作と同様である。ＰＳＣ検出器２０６は、示された接続を通じてＰＳＣスロット・タイミング推定値をＳＳＣ検出器２０８に供給する。
【００８２】
ＰＳＣ検出器２０６が付加のスロット・タイミング推定値を生成すると同時に、ＳＳＣ検出器２０８は、受信器２０４によって供給される次のサンプルからのＳＳＣ符号語を復号するために、ＰＳＣ検出器２０６によって既に生成したスロット・タイミング推定値を使用する。ＳＳＣ検出器２０８によって行われる動作はステップ１０４、１０８、および１２０と共に前述したＳＳＣ動作と同様である。ＳＳＣ検出器２０８は示された接続を通じてフレームタイミング推定値をパイロット検出器２１０へ供給する。
【００８３】
ＳＳＣ検出器が次のＳＳＣサンプルの復号を継続すると同時に、パイロット検出器２１０は、受信器２０４によって供給される次のサンプルを使用してパイロットチャネルオフセットを推定するために、フレームタイミングとＳＳＣ検出器２０８によって供給されるグループ識別情報を使用する。パイロット検出器２１０によって行われる動作は、ステップ１０８、１２４、および１３０と共に前述したパイロット・オフセット決定動作と同様である。
【００８４】
図７は、ＰＳＣ検出器２０６の好ましい実施形態の詳細なブロック図である。本発明の例示的実施形態において、スロット・サンプル累積器３０４は、単一のスロット期間における各サンプル位置に対して１つのサンプル・ビンを持つ先入れ先出し（ＦＩＦＯ）バッファとして実施される。例えば、半チップサンプルは５１２０−サンプルスロットバッファを要求するだろう。チャネル獲得の初めに、スロット・サンプル累積器３０４は、制御プロセッサ２１２からの命令又は信号を受信してクリアされる。その後、サンプルがスロットオフセットと共に合計ブロック３０２で受信される度に、格納器３０４から取り出されたそのスロットオフセットに対する値に加えられる。結果として生じる合計は、格納３０４の中のそのオフセットに関連するサンプル・ビンに格納される。合計ブロック３０２Ａと累積器３０４Ａは同位相（Ｉ）サンプルを受信し、且つ、累積器３０４Ａのサンプル・ビンにＩ値を累積する。合計ブロック３０２Ｂと累積器３０４Ｂは直交位相（Ｑ）サンプルを受信し、且つ、累積器３０４Ｂのサンプル・ビンにＱ値を累積する。
【００８５】
全フレーム期間に亘ってサンプルを累積する本発明の実施形態においては、サンプル累積器３０４は全フレーム期間におけるサンプルの数を累積するに十分な大きさである。半チップサンプルの場合においては、これはスロット・サンプル累積器３０４が各々８１，９２０個のビンを持つことを意味する。
【００８６】
数個のスロット期間に亘りサンプルを累積後、整合フィルタ３１０は累積３０４からのサンプル・ビン値を供給され、且つ、サンプル・ビン領域全体に亘ってＰＳＣシーケンス相関を測定する。本発明の好ましい実施形態においては、サンプルは多重のフレーム期間（ＷＣＤＭＡの場合においては、各々１６個のスロット）に亘って累積される。整合フィルタ３１０は、各可能なスロット・タイミングオフセットに対する実数と虚数の相関エネルギー値を測定する。半チップサンプルがＷＣＤＭＡシステムにおいて使用される場合においては、これは５１２０個の実数と５１２０個の虚数の相関エネルギー値を生じる結果になるだろう。ステップ１０２について述べたように、サンプル・ビンは、バッファの終端に近接したオフセットを評価するときには、巡回、即ちラップ・アラウンドバッファとして使用される。例えば、５１００のオフセットを用いて５１２−サンプル期間を作り出すために、１から４９１までのビンによって追従される、ビン番号５１００から５１２０までからの値は、デジタル整合フィルタ３１０への入力として使用されるだろう。
【００８７】
整合フィルタ３１０によって生成する各スロットオフセットに対する実数と虚数の相関エネルギーは、複体対スカラー変換器（ｃｏｍｐｌｅｘ−ｔｏ−ｓｃａｌａｒ  ｃｏｎｖｅｒｔｅｒ）ブロック３１２に供給される。図に示されるように、変換器ブロック３１２は、各オフセットについて実数と虚数の成分を取り、且つ、方程式（２）に従いそれらを結合させる。
[数２]
ｒ＝（ｘｒ  ２  ＋ｘｉ  ２  ）１／２   
ここで、ｘｒ  はスロットオフセットについての相関エネルギーの実数成分であり、ｘｉ  はスロットオフセットについての相関エネルギーの虚数成分であり、また、ｒはスロットオフセットについての相関エネルギーベクトルのスカラーの大きさである。
【００８８】
複体対スカラー変換器ブロック３１２によって生成するスカラー相関エネルギー値のセットは、最大の相関でオフセットを選択することによって、最も見込みのあるＰＳＣスロット境界オフセットを識別するスロット・タイミング決定モジュール３１４へ供給される。ＰＳＣの妥当性の決定は、ステップ１０６、１１０、および１１６について前に述べた方法を使用してなされてもよい。スロット・タイミング決定モジュール３１４は、ＳＳＣ検出器２０８へ供給されるスロット・タイミング信号を生成させる。
【００８９】
前述したように、相関エネルギーの完全なセットをＰＳＣシーケンスの自動相関エンベロープと比較する本発明の実施形態においては、スロット・タイミング決定モジュール３１４は、スロット・サンプル累積器３０４と同じ数のビンを持つ相関エネルギーバッファを含む。
【００９０】
図８はＳＳＣ検出器２０８の好ましい実施形態の詳細なブロック図である。受信器２０４からのＩとＱのサンプルは、ＰＳＣ検出器２０６によって供給されるスロット・タイミング信号と一緒にＳＳＣサンプル・バッファ２０４によって受信される。ＳＳＣサンプル・バッファ４０２はＳＳＣシンボルを含むと期待されるスロット当り１つのシンボルのためのサンプルを収集する。ＷＣＤＭＡにおいては、例えば、ＳＳＣシンボルは第１の２５６個のチップにおいて、それ故に、各スロットの第１のシンボル位置において伝送される。
【００９１】
ＳＳＣシンボル期間に亘って収集されるＩとＱのサンプルは、可能なＳＳＣシンボルの中のいずれがＳＳＣシンボル期間におけるサンプルと最高の相関エネルギーを持つかを決定する、ＳＳＣシンボル相関器４０４へ供給される。ＳＳＣシンボルがウォルシュ（Ｗａｌｓｈ）符号である例示的実施形態においては、ＳＳＣシンボル相関器４０４は高速アダマール変換（ｆａｓｔ  Ｈａｄａｍａｒｄ  ｔｒａｎｓｆｏｒｍ）（ＦＨＴ）モジュールである。
【００９２】
ＳＳＣシンボル相関器４０４は復号されたＳＳＣシンボルを生成させ、且つ、それらをＳＳＣ復号器４０６へ供給する。ＳＳＣ復号器４０６がフレーム期間における各スロットについて１つのＳＳＣシンボルを供給されてしまうとき、ＳＳＣ復号器４０６はグループ識別（ＧＩ）とフレームタイミングを決定するためにＳＳＣ符号語のブロック復号を行う。前に論議したように、ＷＣＤＭＡは、復号されるＳＳＣ符号語のシンボルからのフレームの中のスロット位置の識別を可能にするコンマのないＳＳＣ符号を使用する。復号されるＳＳＣ符号語はまた、次のパイロットチャネル復号に使用するために、１６個のグループ識別（ＧＩ）値の１つを唯一に識別する。ＳＳＣ復号器４０６によって生成するフレームタイミング信号とＧＩは、両方ともパイロット検出器２１０に供給される。
【００９３】
本発明の好ましい実施形態においては、ＳＳＣシンボル相関器４０４はまた、各復号されるＳＳＣシンボルのための相関強度メトリクスを生成させ、且つ、この距離をＳＳＣ復号器４０６へ供給する。本発明の好ましい実施形態においては、ＳＳＣ復号器４０６はリードソロモン復号器である。ＳＳＣシンボル相関器４０４によって供給される相関強度メトリクスは、ＳＳＣ復号器４０６に前述のチェースアルゴリズムに従ってＳＳＣ符号語の復号の“軟決定（ｓｏｆｔ  ｄｅｃｉｓｉｏｎ）”を行わせる。
【００９４】
図９はパイロット検出器２１０の例示的実施形態の詳細なブロック図である。受信器２０４からのＩとＱのサンプルは、ＳＳＣ検出器２０８によって供給されるフレームタイミング信号と一緒に、パイロットサンプル・バッファ５０２によって受信される。パイロットサンプル・バッファ５０２はパイロットデータを含むと期待される各スロットの部分のためのサンプルを収集する。ＷＣＤＭＡにおいては、例えば、パイロットデータは、各スロットの後半の半分、即ち最後の１２８０個のチップで伝送される。
【００９５】
パイロットサンプル・バッファ５０２によって収集されるＩとＱのサンプルは、各フレームの開始に関してパイロットゴールド符号のオフセットを決定するパイロット相関器５０４へ供給される。パイロット相関器５０４はまた、識別されたグループの中のパイロット・オフセットのみを捜索するために構成されてもよいように、グループ識別（ＧＩ）情報を供給される。ＷＣＤＭＡにおいては、例えば、ＧＩ値と関連した各グループは、３２・１６個の可能なパイロット・オフセットの中の１６個のみを含む。
【００９６】
本発明の代りの実施形態においては、パイロットサンプル・バッファ５０２は、次のフレーム期間のサンプルを、既に収集されたものと結合させるための累積器として実施される。これは、より高い信頼性でパイロット・オフセットを生成させるために使用されるサンプル値の益々強くなるセットを許容する。
【００９７】
好ましい実施形態についての前の説明は、技術的に習熟したどのような人でも、本発明を実施又は使用することを可能にするために提供される。これらの実施形態の種々の変形は、技術的に習熟した人達にとっては既に明白であり、且つ、ここに定義された全般的な原理は、創意に富む能力を使用しなくても、他の実施形態に適用されるかも知れない。このように、本発明はここに示された実施形態に限定されるように意図されるものではなく、ここに開示された原理及び新規な特徴とは矛盾しない、最も広い範囲と一致すべきものである。
【符号の説明】
【００９８】
２０４…受信機  ２０６…ＰＳＣ検出器  ２０８…ＳＳＣ検出器  ２１０…パイロット検出器  ２１２…制御プロセッサ  ３０４Ａ、３０４Ｂ…スロット・サンプル累積器  ３１０…整合フィルタ  ３１４…スロット・タイミング決定モジュール  ４０２…ＳＳＣバッファ  ４０４…ＳＳＣシンボル相関器  ４０６…ＳＳＣ復号器  ５０２…パイロットサンプル・バッファ  ５０４…パイロット相関器
【図１】
2010220232.tif 000003
【図２】
2010220232.tif 000004
【図３】
2010220232.tif 000005
【図４】
2010220232.tif 000006
【図５】
2010220232.tif 000007
【図６】
2010220232.tif 000008
【図７】
2010220232.tif 000009
【図８】
2010220232.tif 000010
【図９】
2010220232.tif 000011
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
受信信号で同期化を獲得する方法であって：
ａ）ゼロを格納するようセッティングすることでサンプル累積バッファをクリアするステップと；
ｂ）累積値のセットを生成するために前記サンプル累積バッファに受信したサンプルを累積するステップと；
ｃ）前記累積値のセットからスロット・タイミング、２次の同期化符号、ＳＳＣ情報及びパイロット情報を取得し、前記スロット・タイミングで妥当性テストを実行し、前記ＳＳＣ情報で妥当性テストを実行し、前記スロット・タイミング及びＳＳＣ情報が前記妥当性テストをパスするまでｂ）及びｃ）のステップを繰り返すステップと；
を備える方法。
【請求項２】
第１の累積値を形成するために第１の期間で受信されるサンプルを累積し；
第１のスロット・タイミング推定値を取得するために、複数のスロットで送信される既知のシーケンスと前記第１の累積値とを相関し；
第２の累積値を得るために第２の期間で受信されるサンプルから生成される値を累積し；
前記第１のスロット・タイミング推定値に基づいてＳＳＣ情報を復号するために前記第２の累積値を処理する；
ことを備える請求項１に記載の方法。
【請求項３】
前記処理することは、ＤＤＣシンボルを復号する第１の段階を備える、前記第１の段階は：
累積されたＳＳＣサンプルとして前記第２の累積された値を格納し；
複数の前もって決められて送信されたＳＳＣシンボルに対して前記累積されたＳＳＣサンプルを整合し；
前記サンプル累積バッファの前記値と前記第１のＳＳＣシンボル・シーケンスとの間の相関の度合に基づいて最もそれらしい符号化シンボルとして第１のＳＳＣシンボル・シーケンスを選択する；
ことを含む請求項２に記載の方法。
【請求項４】
前記処理することは、ＳＳＣシンボルを複号する第２の段階を備える、前記第２の段階は：
前記第１のスロット・タイミング推定値及び前記第２の累積値に基づいて前記ＳＳＣ符号語の第１の推定値、つまりＳＳＣ１を取り出し；
前記第２の累積値に基づいて第２のスロット・タイミング推定値、つまりＳＳＣ２を形成する；
ことを含む請求項３に記載の方法。
【請求項５】
前記第２の累積値は、結合された累積値を形成するために前記第１の累積値と共に累積され、前記第２のスロット・タイミング推定値は、前記結合された累積値を使用して形成される、
請求項４に記載の方法。
【請求項６】
前記第１のスロット・タイミング推定値及び前記第２のスロット・タイミング推定値を比較し、前記比較に基づいて前記第１のスロット・タイミング推定値が妥当であるかを決定し；
前記決定が肯定的であれば、前記符号語、つまりＳＳＣ１の第１の推定値の妥当性を評価し；
前記決定が否定的であれば、前記第３の累積値を形成するために第３の期間ｆ３の間に受信したサンプルを累積し、前記第３の累積値に基づいてＳＳＣ符号語の第２の推定値、つまりＳＳＣ２を形成する；
ことを備える請求項４又は５に記載の方法。
【請求項７】
前記第３の累積値に基づいて第３のスロット・タイミング推定値を決定すること、
を備える請求項６に記載の方法。
【請求項８】
前記第２のスロット・タイミング推定値を生成するために使用される累積値にも基づいて前記第３のスロット・タイミング推定値を決定する、
ことを備える請求項７に記載の方法。
【請求項９】
前記２次の同期化符号情報によって供給されるフレーム・タイミング及びグループ識別情報に基づいてパイロット・チャネル・データを復号することで前記パイロット情報を取得する、
ことを備える請求項１に記載の方法。
【請求項１０】
前記フレーム・タイミング及びグループ識別情報は、第１のパイロット・オフセット推定値、つまりＰＩＬＯＴ１を形成するために、前記ＳＳＣ符号語の前記第１の推定値、つまりＳＳＣ１から供給される、
請求項９に記載の方法。
【請求項１１】
前記第１のスロット・タイミング推定値と前記第３のスロット・タイミング推定値とを比較し；
前記比較に基づいて前記第１のスロット・タイミング推定値が妥当であるかをどうか決定し；
前記決定が肯定的である場合、前記ＳＳＣ符号語の前記第１の推定値を評価し、パイロット・オフセットの推定値として前記第１のＰＩＬＯＴ１を使用し；
前記決定が否定的である場合、前記第３のスロット・タイミング推定値ＰＳＣ３と前記第２のスロット・タイミング推定値ＰＳＣ２とを比較し、前記比較に基づいて前記第２のスロット・タイミング推定値が妥当であるかどうかを決定する；
ことを備える請求項１０に記載の方法
【請求項１２】
前記第２のスロット・タイミング推定値が妥当であることを見出した場合：
妥当であるためのＳＳＣ符号語の第２の推定値ＳＳＣ２を評価し；
前記ＳＳＣ符号語の前記第２の推定値が妥当であることを見出した場合、第４の期間で受信したデータからパイロット・チャネル・データを復号するためにＳＳＣ符号語の前記第２の推定値を使用する；
ことを備える請求項１１に記載の方法。
【請求項１３】
前記決定が肯定的である場合：
前記符号語の前記第１の推定値ＳＳＣ１の妥当性を評価し、
前記第１の符号語の第１の推定値が妥当であることを見出した場合、前記符号語の第１２の推定値及び前記第３の期間で受信したデータに基づいてパイロット情報を復号する、
ことを備える請求項６に記載の方法。
【請求項１４】
前記スロット・タイミングを取得することは：
ｃ１）前記サンプル累積バッファにある各サンプル・オフセットためのＰＳＣ相関エネルギーを生成するためにＰＳＣと前記サンプル累積バッファのコンテンツを相関させ；
ｃ２）第１のタイミング推定値として前記相関エネルギーの最も大きいものに対応するサンプル・オフセットを識別する；
サブセットを更に備える請求項１に記載の方法。
【請求項１５】
前記整合は、相関強度メトリクスに対応するセットを生成するためにサンプル累積バッファのコンテンツと前記複数の前もって決定され送信されたＳＳＣシンボルの各々との間の相関の度合を測定する、
請求項３に記載の方法。
【請求項１６】
前記相関強度メトリクスに基づいて２次の同期化符号語の復号すること及び軟決定ブロック復号手法を使用する、
ことを備える請求項１５に記載の方法。
【請求項１７】
前記軟決定ブロック復号技術は、チェース・アルゴリズムを利用する、
ことを備える請求項１６に記載の方法。
【請求項１８】
前記ステップｃ）は：
ｃ１）前記ＰＳＣサンプル累積バッファにある各サンプル・オフセットのためのＰＳＣ相関エネルギーを生成するためにＰＳＣシーケンスと前記ＰＳＣサンプル累積バッファのコンテンツとを相関させ、ＰＳＣ相関エネルギー・バッファにＰＳＣ相関エネルギーの結果のセットを格納し；
ｃ２）ＰＳＣ相関エネルギー・バッファにある各サンプル・オフセットのためのＰＳＣ自己相関整合エネルギーを生成するために、ＰＳＣシーケンスの事故相関関数に基づいてＰＳＣ自己相関シーケンスと前記ＰＳＣ相関エネルギー・バッファのコンテンツとを相関させ；
ｃ３）前記第１のスロット・タイミング推定値として最大の前記ＰＳＣ自己相関整合エネルギーに対応する前記サンプル・オフセットを識別する；
ことを備える請求項１に記載の方法。
【請求項１９】
ＳＳＣ符号語シンボルのセットを生成するために、テストによって妥当であると見出された前記第１のスロット・タイミング推定値及び前記サンプル累積バッファのコンテンツに基づいて第１のＳＳＣ復号を実行し；
ＳＳＣ符号語を生成するために前記ＳＳＣ符号シンボルに基づいて第２のＳＳＣ復号を実行する；
ことを備える請求項１に記載の方法。
【請求項２０】
前記サンプルを累積することは、前もって決められた持続時間にわたって実行される、
ことを備える請求項１９に記載の方法。
【請求項２１】
前記前もって決められた持続時間は、１フレーム分である、
請求項２０に記載の方法；
【請求項２２】
前記前もって決められた持続時間は、１つのフレームの長さの３倍より大きい、
請求項２０に記載の方法。
【請求項２３】
相関エネルギー比を生成するために２番目に大きい前記相関エネルギーで最大の前記相関エネルギーを除算し；
前記相関エネルギー比が前もって決定された相関エネルギーの閾値より大きい場合、前記第１のスロット・タイミング推定値は妥当であると結論を下す；
サブステップを更に備える請求項１４に記載の方法。
【請求項２４】
前記相関エネルギーの前記２番目に大きい相関エネルギーは、サンプル・オフセットが前記最大の相関エネルギーに関連するオフセットに直接隣接しない、相関エネルギーのセットから選択される、
請求項２３に記載の方法。
【請求項２５】
最大の相関エネルギーを有するビンに隣接するビンに関連しない２番目に大きい相関エネルギーをセーブし、
前記第１のスロット・タイミング推定値に対応する相関エネルギーを前記２番目に大きい相関エネルギーと比較し、前記２番目に大きい相関エネルギーと最大の相関エネルギーとの比が前もって決められた相関エネルギー閾値より大きい場合、前記第１のスロット・タイミング推定値は妥当であると結論を下す、
ことを備える請求項１４に記載の方法。
【請求項２６】
前記ＰＳＣサンプル累積バッファにある各サンプル・オフセットのためのＰＳＣ相関エネルギーを生成するために、ＰＳＣシーケンスと前記ＰＳＣサンプル累積バッファのコンテンツとを相関させ、ＰＳＣ相関エネルギー・バッファにＰＳＣ相関エネルギーの結果のセットを格納し；
ＰＳＣ相関エネルギー・バッファに含まれる各サンプル・オフセットのためのＰＳＣ自己相関整合エネルギーを生成するために、ＰＳＣシーケンスの自己相関関数に基づいてＰＳＣ自己相関シーケンスと前記ＰＳＣ相関エネルギー・バッファのコンテンツとを相関させ；
前記第１のタイミング・スロット推定値として前記最大のＰＳＣ自己相関整合エネルギーに対応する前記サンプル・オフセットを識別する；
サブステップを更に含む請求項１４に記載の方法。
【請求項２７】
前記ＰＳＣサンプル累積バッファのコンテンツに基づいて第２のスロット・タイミング推定値を形成し；
前記第１のスロット・タイミング推定値が前記第２番目のスロット・タイミング推定値と等しい場合、前記第１のスロット・タイミング推定値が妥当であると結論を下す；
ことを備える請求項１に記載の方法。
【請求項２８】
前記第１のスロット・タイミング推定値に基づいてＳＳＣコード・シンボルに前記サンプル累積バッファのコンテンツを復号する、
ことを備える請求項２に記載の方法。
【請求項２９】
前記第１のスロット・タイミング推定値が妥当であることを見出せない間に前もって決められたＰＳＣタイムアウト期間の満了することに応じて前記繰り返すことが中断され、前記方法の実行は、前記ステップａ）で再開する、
請求項２８に記載の方法。
【請求項３０】
前記ＳＳＣサンプル累積バッファに受信したサンプルのセットが累積する前にゼロを格納するようセッティングすることによって前記サンプル累積バッファを任意にクリアするステップを更に備え、なお、前記任意にクリアすることは、前記第１のスロット・タイミング推定値が以前の受信したサンプルの累積によって前もって決められたサンプル・スロットの数よりおおく変化した場合のみ実行される、
ことを備える請求項２８に記載の方法。
【請求項３１】
前記前もって決められたサンプル・スロットの数は、０である、
請求項３０に記載の方法。
【請求項３２】
前記前もって決められたサンプル・スロットの数は、１である、
請求項３０に記載の方法。
【請求項３３】
前記第１のＳＳＣシンボルを復号化する第１の段階は、相関強度メトリクスに対応するセットを生成するために、前記累積ＳＳＣサンプルと前記前もって決められたＳＳＣ符合シンボルの各々との間で相関の度合を測定する、
ことを備える請求項３に記載の方法。
【請求項３４】
前記第２のＳＳＣ復号化は、前記相関強度メトリクスに基づいて前記ＳＳＣ符号語を復号し、軟決定ブロック復号化手法を利用する、
請求項３３に記載の方法。
【請求項３５】
前記軟決定ブロック復号化手法は、チェース・アルゴリズムを利用する、
請求項３４に記載の方法。
【請求項３６】
前記ＳＳＣ累積値を提供するために第２の期間の間受信したサンプルから生成される値を累積し；
ＳＳＣ符号シンボルのセットに基づいて最善推測ＳＳＣ復号化符号語を生成し；
ＳＳＣ符号シンボルのセットに基づいて前記最善推測ＳＳＣ復号化符号語の妥当性テストを実行し；
前記最善推測ＳＳＣ復号化符号語が前記妥当性テストをパスするまで蓄積、生成及び実行を繰り返す；
ステップを更に備える請求項１に記載の方法。
【請求項３７】
前記信号は、非同期符号分割多元接続（ＣＤＭＡ）の使用ための信号である、
請求項１に記載の方法。
【請求項３８】
受信信号で同期化を獲得するための装置であって：
ａ）ゼロを格納するようセッティングすることでサンプル累積バッファをクリアにする手段と；
ｂ）累積値のセットを生成するために前記サンプル累積バッファに受信したサンプルを累積する手段と；
ｃ）前記累積値のセットからスロット・タイミング、２次の同期化符号化、ＳＳＣ情報及びパイロット情報を取得し、前記スロット・タイミングで妥当性テストを実行し、前記ＳＳＣ情報で妥当性テストを実行し、前記スロット・タイミング及びＳＳＣ情報が前記妥当性テストをパスするまでｂ）及びｃ）のステップを繰り返す手段と；
を備える装置。
【請求項３９】
第１の累積値を形成するために第１の期間の間に受信されるサンプルを累積する手段と；
第１のスロット・タイミング推定値を得るために、複数のスロットで送信される既知のシーケンスと前記第１の累積値を相関させる手段と；
第２の累積値を得るために第２の期間の間に受信されるサンプルから生成される値を累積する手段と；
前記第１のスロット・タイミング推定値に基づいてＳＳＣ情報を復号するために前記第２の累積値を処理する手段と；
を備える請求項３８に記載の装置。
【請求項４０】
累積されたＳＳＣサンプルのような前記第２の累積された値を格納する手段と；
複数の前もって決められた送信されたＳＳＣシンボルに対して前記累積されたＳＳＣサンプルを整合する手段と；
前記サンプル累積バッファの前記値と前記第１のＳＳＣシンボル・シーケンスとの間の相関の度合に基づいて最もそれらしい符号化シンボルとして第１のＳＳＣシンボル・シーケンスを選択する手段と；
を備える請求項３９に記載の装置。
【請求項４１】
前記第１のスロット・タイミング推定値及び前記第２の累積値に基づいて前記ＳＳＣ符号語の第１の推定、つまり、ＳＳＣ１を取り出す手段と；
前記第２の累積値に基づいて第２のスロット・タイミング推定値、つまりＳＳＣ２を形成する手段と；
を備える請求項４０に記載の装置。
【請求項４２】
前記第２の累積値は、結合された累積値を形成するために前記第１の累積値と共に累積する手段と、前記第２のスロット・タイミング推定値は、前記結合された累積値を使用して形成する手段と、
を備える請求項４１に記載の装置。
【請求項４３】
前記２次の同期化符号情報によって供給されるグループ識別情報及びフレーム・タイミングに基づいてパイロット・チャネル・データを復号することで前記パイロット情報を取得する手段と、
を備える請求項３８に記載の装置。
【請求項４４】
ＳＳＣ符号語の第１の第１の推定値、つまりＳＳＣ１からフレーム・タイミング及びグループ識別情報を供給するための手段と、第１のパイロット・オフセット推定値を形成するために前記フレーム・タイミング及びグループ識別を使用するための手段と、
を備える請求項４３に記載の装置。
【請求項４５】
前記第１のスロット・タイミング推定値と前記第３のスロット・タイミング推定値を比較する手段と；
前記比較に基づいて前記第１のスロット・タイミング推定値が妥当であるかを決定する手段と；
前記決定が肯定的である場合、前記ＳＳＣ符号語の前記第１の推定値を評価し、パイロット・オフセットの推定値として前記第１のＰＩＬＯＴ１を使用する手段と；
前記決定が否定的である場合、前記第３のスロット・タイミング推定値ＰＳＣ３と前記第２のスロット・タイミング推定値ＰＳＣ２とを比較し、前記比較に基づいて前記第２のスロット・タイミング推定値が妥当であるかどうかを決定する手段と；
を備える請求項４４に記載の装置
【請求項４６】
前記第２のスロット・タイミング推定値が妥当であることを見出した場合、妥当であるためのＳＳＣ符号語の第２の推定値ＳＳＣ２を評価する手段と；
前記ＳＳＣ符号語の前記第２の推定値が妥当であることを見出した場合、第４の期間の間に受信したデータからパイロット・チャネル・データを復号するＳＳＣ符号語の前記第２の推定値を使用する手段と；
を備える請求項４５に記載の装置。
【請求項４７】
前記サンプル累積バッファのコンテンツに基づいて第１のＳＳＣデコードを実行する手段と；
前記テストによって妥当であると見出された前記第１のスロット・タイミング推定値に基づいてＳＳＣ符号シンボルのセットを生成するための手段と；
ＳＳＣ符号語を生成するために前記ＳＳＣ符号シンボルに基づいて第２のＳＳＣデコードを実行する手段と；
を備える請求項３８に記載の装置。
【請求項４８】
前記装置は、前もって決められた持続時間にわたってサンプルを累積するように構成される、請求項４７に記載の装置。
【請求項４９】
前記装置は、前もって決められた１つのフレーム期間にわたってサンプルを累積するように構成される、請求項４７に記載の装置。
【請求項５０】
前記装置は、フレーム長さの３倍より長い期間にわたってサンプルを累積するように構成される、請求項４７に記載の装置。
【請求項５１】
受信信号で同期化を取得するための送信装置であって、前記装置は：
受信信号のサンプルを累積するためのサンプル・累積バッファと；
プロセッサと；
前記プロセッサと電子通信しているメモリと、
を備え
なお、前記メモリは、命令を格納し、前記命令は：
ａ）ゼロを格納するようセッティングすることでサンプル累積バッファをクリアし、
ｂ）累積値のセットを生成するために前記サンプル累積バッファに受信したサンプルを累積し；
ｃ）前記累積値のセットからスロット・タイミング、２次の同期化符号、ＳＳＣ情報及びパイロット情報を取得し、前記スロット・タイミングで妥当性テストを実行し、前記ＳＳＣ情報で妥当性テストを実行し、前記スロット・タイミング及びＳＳＣ情報が前記妥当性テストをパスするまでｂ）及びｃ）のステップを繰り返す；
ことをプロセッサで実行可能にさせる、装置。
【手続補正２】
【補正対象書類名】明細書
【補正対象項目名】００９７
【補正方法】変更
【補正の内容】
【００９７】
好ましい実施形態についての前の説明は、技術的に習熟したどのような人でも、本発明を実施又は使用することを可能にするために提供される。これらの実施形態の種々の変形は、技術的に習熟した人達にとっては既に明白であり、且つ、ここに定義された全般的な原理は、創意に富む能力を使用しなくても、他の実施形態に適用されるかも知れない。このように、本発明はここに示された実施形態に限定されるように意図されるものではなく、ここに開示された原理及び新規な特徴とは矛盾しない、最も広い範囲と一致すべきものである。
以下に本願出願の当初の特許請求の範囲について記載された発明を付記する。
［１］
（ａ）格納された値を零にセットすることによって１次の同期化符号（ＰＳＣ）サンプル累積バッファと２次の同期化符号（ＳＳＣ）サンプル累積バッファをクリアし、
（ｂ）ＰＳＣ累積値のセットを形成するために受信されるサンプルの第１のセットを前記ＰＳＣサンプル累積バッファに累積し、
（ｃ）前記ＰＳＣサンプル累積バッファのコンテンツに基づいて第１のスロット・タイミング推定値を形成し、
（ｄ）前記第１のスロット・タイミング推定値に基づいてＳＳＣ累積値のセットを形成するために受信されるサンプルの第２のセットを前記ＳＳＣサンプル累積バッファに累積し、
（ｅ）前記受信されるサンプルの第２のセットを前記ＰＳＣサンプル累積バッファに累積し、
（ｆ）前記第１のスロット・タイミング推定値の妥当性を決定するためのテストを行い、
（ｇ）  ＳＳＣ符号語シンボルのセットを生成するために、テストによって妥当であると見出された前記第１のスロット・タイミング推定値及び前記サンプル累積バッファのコンテンツに基づいて第１のＳＳＣ復号を実行し、且つ
（ｈ）ＳＳＣ符号語を生成するために前記ＳＳＣ符号シンボルに基づいて第２のＳＳＣ復号を実行する、
諸ステップを含む信号を受信する方法。
［２］
ステップ（ｂ）におけるサンプルの累積は前もって決められた持続時間にわたって実行される［１］の方法。
［３］
前記前もって決められた時間は１フレーム分である［２］の方法。
［４］
前記前もって決定される時間はフレームの長さの３倍より大きい［２］の方法。
［５］
第１のスロット・タイミング推定値を形成する前記ステップ（ｃ）が、
（ｃ．１）前記ＰＳＣサンプル累積バッファにある各サンプル・オフセットについてのＰＳＣ相関エネルギーを生成するために前記ＰＳＣサンプル累積バッファのコンテンツをＰＳＣシーケンスと相関させ、且つ
（ｃ．２）前記相関エネルギーの最大のものに相応するサンプル・オフセットを前記第１のスロット・タイミング推定値として識別する、
諸サブステップを更に含む［１］の方法。
［６］
前記ステップ（ｃ．１）における相関がデジタル整合フィルタを使用して実行する［５］の方法。
［７］
前記ステップ（ｆ）が、
（ｆ．１）相関エネルギー比を作り出すために２番目に大きい前記相関エネルギーによって最大の前記相関エネルギーを除算し、且つ
（ｆ．２）もし前記相関エネルギー比が前もって決められた相関エネルギー閾値より大きいならば前記第１のスロット・タイミング推定値は妥当であると結論を下す、
諸サブステップを含む［５］の方法。
［８］
２番目に大きい前記相関エネルギーは相関エネルギーのサンプル・オフセットが最大の前記相関エネルギーに関連するオフセットに直接隣接しない相関エネルギーのセットから選択される［７］の方法。
［９］
前記ステップ（ｃ）は最大の相関エネルギーを持つビンに隣接するビンに関連しない第２位最大の相関エネルギーを蓄えることを更に含み、且つ前記ステップ（ｆ）は前記第１のスロット・タイミング推定値に相応する相関エネルギーを前記第２位最大の相関エネルギーと比較し、もし前記第２位最大の相関エネルギーに対する最大の相関エネルギーの比が前もって決められた相関エネルギー閾値より大きいならば前記第１のスロット・タイミング推定値は妥当と結論することを含む［５］の方法。
［１０］
前記ステップ（ｃ）が、
（ｃ．１）前記ＰＳＣサンプル累積バッファにおける現在の各サンプル・オフセットについてのＰＳＣ相関エネルギーを作り出すために前記ＰＳＣサンプル累積バッファのコンテンツをＰＳＣシーケンスと相関させ、且つＰＳＣ相関エネルギーから得られるセットをＰＳＣ相関エネルギー・バッファに格納し、
（ｃ．２）ＰＳＣ相関エネルギー・バッファにある各サンプル・オフセットについてのＰＳＣ自動相関整合エネルギーを作り出すために前記ＰＳＣ相関エネルギー・バッファのコンテンツをＰＳＣシーケンスの自動相関関数に基づいてＰＳＣ自動相関シーケンスと相関させ、且つ
（ｃ．３）前記ＰＳＣ自動相関整合エネルギーの最大のものに相応するサンプル・オフセットを前記第１のスロット・タイミング推定値として識別する、
諸サブステップを更に含む［１］の方法。
［１１］
前記ステップ（ｆ）が、
（ｆ．１）前記ＰＳＣサンプル累積バッファのコンテンツに基づいて第２のスロット・タイミング推定値を形成し、且つ
（ｆ．２）前記第１のスロット・タイミング推定値はもしそれが前記第２のスロット・タイミング推定値と等しいならば妥当であると結論を下す、
諸サブステップを含む［１］の方法。
［１２］
前記ステップ（ｇ）が、
（ｇ．１）前記第１のスロット・タイミング推定値がステップ（ｆ）において行われる前記テストに従い妥当であると判明するまでステップ（ｃ）から（ｆ）までを繰り返し、且つ
（ｇ．２）前記第１のスロット・タイミング推定値に基づいて前記ＳＳＣサンプル累積バッファのコンテンツをＳＳＣ符号シンボルに復号する、
諸サブステップを含む［１］の方法。
［１３］
前記第１のスロット・タイミング推定値が妥当であることを見出せない間に前もって決められたＰＳＣタイムアウト期間の満了することに応じて前記ステップ（ｇ．１）が中断され、前記方法の実行は、前記ステップａ）で再開する、［１２］の方法。
［１４］
前記ステップ（ｄ）は前記受信されるサンプルの第２のセットを前記ＳＳＣサンプル累積バッファに累積する前にその格納される値を零にセットすることによって前記ＳＳＣサンプル累積バッファを任意にクリアすることを含み、前記随意にクリアすることは前記第１のスロット・タイミング推定値が前のステップ（ｄ）の実行以来、前もって決められたサンプルスロットの数より多く変化してしまっているときにのみ行われる［１２］の方法。
［１５］
前記前もって決められたサンプルスロットの数は０である［１４］の方法。
［１６］
前記前もって決められたサンプルスロットの数は１である［１４］の方法。
［１７］
前記第１のＳＳＣ復号は相応する相関強度メトリクスのセットを作り出すために前記ＳＳＣ符号シンボルのセットの各々と前記ＳＳＣサンプル累積バッファのコンテンツの間の相関の度合を測定することを含む［１］の方法。
［１８］
前記第２のＳＳＣ復号は前記相関強度メトリクスに基づいて前記ＳＳＣ符号語を復号することおよび軟決定ブロック復号手法を利用することを含む［１７］の方法。
［１９］
前記軟決定ブロック復号手法はチェースアルゴリズムを利用する［１８］の方法。
［２０］
前記ステップ（ｈ）が、
（ｈ．１）前記ＳＳＣ符号シンボルのセットに基づいて最善推測ＳＳＣ復号符号語を生成させ、
（ｈ．２）前記ＳＳＣ符号シンボルのセットに基づいて前記最善推測ＳＳＣ復号符号語の妥当性テストを行い、且つ
（ｈ．３）  前記最善推測ＳＳＣ復号符号語が前記妥当性テストをパスするまで前記ステップ（ｄ）、（ｇ）、（ｈ．１）、および（ｈ．２）を繰り返す、  ことを更に含む［１］の方法。
［２１］
前記ステップ（ｈ）はサブステップ（ｈ．２）の間に受信されるサンプルに基づき、且つ前記最善推測ＳＳＣ復号符号語に基づくパイロットオフセットの評価を更に含む［２０］の方法。
［２２］
もし前もって決められたＳＳＣタイムアウト期間が前記ＳＳＣ符号シンボルのセットが前記妥当性テストをパスすることなく満了し、そこで実行がステップ（ａ）で再開するならば前記ステップ（ｈ．３）は中断する［２０］の方法。
［２３］
前記妥当性テストは前記ＳＳＣ符号シンボルのセットと妥当なＳＳＣ符号語の最も近い周期的移動の間のハミング距離を測定し、且つ前記ハミング距離を前もって決められた最大許容ハミング距離と比較することを含む［２０］の方法。
［２４］
（ａ）格納された値を０にセットすることによってフレーム・サンプル累積バッファをクリアし、
（ｂ）累積値のセットを生成させるために受信されるサンプルを前記フレーム・サンプル累積バッファに累積し、且つ
（ｃ）前記累積値のセットからスロット・タイミング、２次の同期化符号（ＳＳＣ）情報およびパイロット情報を引き出す、
諸ステップを含む信号を受信する方法。
［２５］
ステップ（ｃ）は前記スロット・タイミングと前記ＳＳＣ情報の妥当性テストを行い、且つ前記スロット・タイミングと前記ＳＳＣ情報が前記妥当性テストをパスするまでステップ（ｂ）を繰り返すことを更に含む［２４］の方法。
［２６］
（ａ）デジタル基底帯域サンプルのストリームを作り出すために受信される信号をダウンコンバートし且つサンプル化するための受信器、
（ｂ）同時に前記サンプルをスロット・サンプル累積バッファに累積し且つ前記スロット・サンプル累積バッファのコンテンツに基づいてスロット・タイミング推定値を生成させるために、前記受信器に作動的に接続されるスロット・タイミング検出手段、
（ｃ）同時に前記サンプルを前記スロット・タイミング推定値に基づいてＳＳＣサンプル累積バッファに累積し且つ前記ＳＳＣサンプル累積バッファのコンテンツに基づいて最善予測ＳＳＣ情報を復号するために、前記受信器と前記スロット・タイミング検出手段に作動的に接続される２次の同期化符号（ＳＳＣ）検出手段、且つ
（ｄ）前記サンプルと前記最善予測ＳＳＣ情報に基づいてパイロット・オフセットを決定するために、前記受信器と前記ＳＳＣ検出手段に作動的に接続されるバイロットオフセット検出手段、
を含む信号を受信するための装置。
［２７］
前記ＳＳＣ検出手段は前記ＳＳＣサンプル累積バッファのコンテンツに基づいてＳＳＣシンボルとＳＳＣシンボル相関強度メトリクスを生成させるためのＳＳＣシンボル相関器を含む［２６］の装置。
［２８］
前記ＳＳＣ検出手段は前記ＳＳＣシンボルと前記ＳＳＣシンボル相関強度メトリクスを受信し且つ前記ＳＳＣ情報を生成させるための軟決定復号を行うために、前記ＳＳＣシンボル相関器に作動的に接続されるＳＳＣ復号器を更に含む［２７］の装置。
【外国語明細書】
2010220232000001.pdf